(57)【要約】【課題】吹出される温風の温度を一時的に上昇させる高温風の要求を受けたときに温風の温度を十分に上げることのできる空気調和装置を提供する。【解決手段】冷媒回路は、圧縮機、第１利用側熱交換器１２１、第１膨張弁１３１、熱源側熱交換器が順に接続される第１冷媒経路を有する。制御部は、圧縮機及び第１膨張弁１３１の制御を行う。制御部は、第１利用側熱交換器１２１を通過して吹出される温風の温度を一時的に上昇させる高温風の要求を受けた場合に、第１利用側熱交換器１２１を流れる冷媒の温度が上がるように第１膨張弁１３１の制御を変更する。【選択図】図３Ｂ
2019027686.tif 000002
【特許請求の範囲】
【請求項１】
圧縮機（３６）、第１利用側熱交換器（１２１）、第１膨張弁（１３１）、熱源側熱交換器（３５）が順に接続される第１冷媒経路を有する冷媒回路（２）と、
前記圧縮機及び前記第１膨張弁の制御を行う制御部（４０）と、
を備え、
前記制御部は、前記第１利用側熱交換器を通過して吹出される温風の温度を一時的に上昇させる高温風の要求を受けた場合に、前記第１利用側熱交換器を流れる冷媒の温度が上がるように前記第１膨張弁の制御を変更する、空気調和装置。
【請求項２】
前記制御部は、前記高温風の要求を受けた場合に、目標過冷却度を下げて前記第１利用側熱交換器においてガス冷媒が占有する過熱領域を増やす制御を行う、
請求項１に記載の空気調和装置。
【請求項３】
前記冷媒回路は、前記圧縮機、第２利用側熱交換器（１２２）、前記制御部に制御される第２膨張弁（１３２）、前記熱源側熱交換器が順に接続される少なくとも１つの第２冷媒経路をさらに有し、
前記制御部は、前記高温風の要求を受けた場合に、前記高温風の要求の無かった前記第２冷媒経路を用いた暖房運転がサーモオフし易くなるように前記第２冷媒経路の暖房運転のサーモオフ条件を変更する、
請求項１または請求項２に記載の空気調和装置。
【請求項４】
前記制御部は、前記高温風の要求を受けた場合に、前記圧縮機の回転数を上げて、前記第１利用側熱交換器に流れる冷媒の流量を増やす制御を行う、
請求項１から３のいずれか一項に記載の空気調和装置。
【請求項５】
前記制御部に制御され、前記熱源側熱交換器を通過する気流を発生させる熱源側ファン（３９）をさらに備え、
前記制御部は、前記高温風の要求を受けた場合に、前記熱源側ファンの回転数を上げる、
請求項１から４のいずれか一項に記載の空気調和装置。
【請求項６】
前記制御部に制御され、前記第１利用側熱交換器を通過して温風として吹出される気流を発生させる第１利用側ファン（１５１）をさらに備え、
前記制御部は、前記高温風の要求を受けた場合に、前記第１利用側ファンの風量を所定値以下にする制御を行う、
請求項１から５のいずれか一項に記載の空気調和装置。
【請求項７】
前記制御部に前記高温風の要求を送信する場合に用いられる高温風要求操作ボタンを有するリモートコントローラ（１１１〜１１４）をさらに備え、
前記制御部は、前記リモートコントローラから前記高温風の要求を受信可能に構成されている、
請求項１から６のいずれか一項に記載の空気調和装置。
【請求項８】
前記制御部は、前記高温風の要求を受けた場合に、前記第１利用側熱交換器からの温風が吹き出される空調対象室の設定温度を最大値に変更する制御を行う、
請求項１から７のいずれか一項に記載の空気調和装置。
【請求項９】
前記制御部は、前記高温風の要求を受けた場合に、前記第１利用側熱交換器を流れる冷媒の温度が上がるように前記第１膨張弁の弁開度を補正する制御を行う、
請求項１から８のいずれか一項に記載の空気調和装置。
【請求項１０】
前記冷媒回路は、前記圧縮機、第２利用側熱交換器（１２２）、前記制御部に制御される第２膨張弁（１３２）、前記熱源側熱交換器が順に接続される少なくとも１つの第２冷媒経路をさらに有し、
前記制御部は、前記高温風の要求を受けた場合に、前記高温風の要求の無かった前記第２冷媒経路を用いた暖房運転がサーモオフしている場合に前記第２利用側熱交換器に冷媒を溜めるように前記第２膨張弁を制御する、
請求項１または請求項２に記載の空気調和装置。
【請求項１１】
前記制御部は、前記第２冷媒経路を用いた暖房運転がサーモオフしている場合に、前記圧縮機に吸入される冷媒の温度を目標温度に近づけるようにまたは前記圧縮機から吐出される冷媒の温度を目標温度に近づけるように前記第２膨張弁の弁開度を制御する、
請求項１０に記載の空気調和装置。
【請求項１２】
前記第２利用側熱交換器の冷媒出口と冷媒入口の間に配置された中間温度センサをさらに備え、
前記制御部は、前記第２冷媒経路を用いた暖房運転がサーモオンしている場合に前記中間温度センサにより冷媒が過冷却状態になったことが検知されると保護制御に移行するが、サーモオフしている場合には保護制御に移行しないように構成されている、
請求項１１に記載の空気調和装置。
【発明の詳細な説明】
【技術分野】
【０００１】
本発明は、空気調和装置、特に暖房機能を有する空気調和装置に関する。
【背景技術】
【０００２】
従来から、空気調和装置において暖房運転が行われている状況で、寒い室外から室内に入ったときにできるだけ温度の高い温風で暖まりたいという場合がある。例えば、特許文献１（実開平４−４６４５号公報）には、「高温送風モード」に設定され、つまり温度の高い温風を一時的に吹き出すよう要求があったときに、圧縮機の運転周波数を最大にして、室内側送風機の回転数を「弱」とすることにより、利用者に冷風感を与えないようにする技術が開示されている。
【発明の概要】
【発明が解決しようとする課題】
【０００３】
しかしながら、特許文献１に記載されているように、圧縮機の運転周波数を最大にして、室内側送風機の回転数を低くしただけでは、利用者に送風する温風として十分に温度を上昇させられないことがある。
【０００４】
本発明の課題は、吹出される温風の温度を一時的に上昇させる高温風の要求を受けたときに温風の温度を十分に上げることのできる空気調和装置を提供することである。
【課題を解決するための手段】
【０００５】
本発明の第１観点に係る空気調和装置は、圧縮機、第１利用側熱交換器、第１膨張弁、熱源側熱交換器が順に接続される第１冷媒経路を有する冷媒回路と、圧縮機及び第１膨張弁の制御を行う制御部と、を備え、制御部は、第１利用側熱交換器を通過して吹出される温風の温度を一時的に上昇させる高温風の要求を受けた場合に、第１利用側熱交換器を流れる冷媒の温度が上がるように第１膨張弁の制御を変更する。
【０００６】
第１観点に係る空気調和装置によれば、第１利用側熱交換器を通過して吹出される温風の温度を一時的に上昇させる高温風の要求を受けた場合に、第１利用側熱交換器を流れる冷媒の温度が上がるように第１膨張弁の制御を変更するので、第１利用側熱交換器で熱交換されて吹出される温風に対して、第１膨張弁の制御を変更によって温度が上がった冷媒から、より多くの熱量が与えられる。
【０００７】
本発明の第２観点に係る空気調和装置は、第１観点に係る空気調和装置であって、制御部は、高温風の要求を受けた場合に、目標過冷却度を下げて第１利用側熱交換器においてガス冷媒が占有する過熱領域を増やす制御を行う、ものである。
【０００８】
第２観点に係る空気調和装置によれば、高温風の要求を受けた場合に目標過冷却度を下げると第１膨張弁の弁開度が増加して第１利用側熱交換器においてガス冷媒が占有する過熱領域が増えるので、第１利用側熱交換器において高温のガス冷媒の割合が増える。
【０００９】
本発明の第３観点に係る空気調和装置は、第１観点または第２観点に係る空気調和装置であって、冷媒回路は、圧縮機、第２利用側熱交換器、制御部に制御される第２膨張弁、熱源側熱交換器が順に接続される少なくとも１つの第２冷媒経路をさらに有し、制御部は、高温風の要求を受けた場合に、高温風の要求の無かった第２冷媒経路を用いた暖房運転がサーモオフし易くなるように第２冷媒経路の暖房運転のサーモオフ条件を変更する、ものである。
【００１０】
第３観点に係る空気調和装置によれば、制御部により高温風の要求の無かった第２冷媒経路を用いた暖房運転がサーモオフし易くなるようにサーモオフ条件が変更されると、第２冷媒経路を用いた暖房運転がサーモオフする期間が増えて第２冷媒経路に液冷媒が溜まり易くなる。
【００１１】
本発明の第４観点に係る空気調和装置は、第１観点から第３観点のいずれかに係る空気調和装置であって、制御部は、高温風の要求を受けた場合に、圧縮機の回転数を上げて、第１利用側熱交換器に流れる冷媒の流量を増やす制御を行う、ものである。
【００１２】
第４観点に係る空気調和装置によれば、高温風の要求を受けた場合に、第１利用側熱交換器に流れる冷媒の流量が圧縮機の回転数が上がることによって増えるので、第１膨張弁の制御が変更されて第１利用側熱交換器を流れる冷媒の温度が上がることともあいまって、より多くの熱量を冷媒から第１利用側熱交換器を通過する空気に与えることができるようになる。
【００１３】
本発明の第５観点に係る空気調和装置は、第1観点から第４観点のいずれかに係る空気調和装置であって、制御部に制御され、熱源側熱交換器を通過する気流を発生させる熱源側ファンをさらに備え、制御部は、高温風の要求を受けた場合に、熱源側ファンの回転数を上げる、ものである。
【００１４】
第５観点に係る空気調和装置によれば、熱源側ファンの回転数を上げると熱源側熱交換器での熱交換が促進されて蒸発能力が上がり、その結果、第１利用側熱交換器での凝縮能力が上がって第１利用側熱交換器を通過して吹き出される温風の温度を上げることができる。
【００１５】
本発明の第６観点に係る空気調和装置は、第１観点から第５観点のいずれかに係る空気調和装置であって、制御部に制御され、第１利用側熱交換器を通過して温風として吹出される気流を発生させる第１利用側ファンをさらに備え、制御部は、高温風の要求を受けた場合に、第１利用側ファンの風量を所定値以下にする制御を行う、ものである。
【００１６】
第６観点に係る空気調和装置によれば、高温風の要求を受けた場合に第１利用側ファンの風量を所定値以下にすることで、風量が所定値を超える場合に比べて第１利用側熱交換器を単位時間当たりに通過する空気の量が減少して単位体積の空気が受け取る熱量が増加する。
【００１７】
本発明の第７観点に係る空気調和装置は、第１観点から第６観点のいずれかに係る空気調和装置であって、制御部に高温風の要求を送信する場合に用いられる高温風要求操作ボタンを有するリモートコントローラをさらに備え、制御部は、リモートコントローラから高温風の要求を受信可能に構成されている、ものである。
【００１８】
第７観点に係る空気調和装置によれば、リモートコントローラの高温風操作ボタンが操作されるとリモートコントローラが高温風の要求を送信して制御部が高温風の要求を受信できる。
【００１９】
本発明の第８観点に係る空気調和装置は、第１観点から第７観点のいずれかに係る空気調和装置であって、制御部は、高温風の要求を受けた場合に、第１利用側熱交換器からの温風が吹き出される空調対象室の設定温度を最大値に変更する制御を行う、ものである。
【００２０】
第８観点に係る空気調和装置によれば、第１利用側熱交換器からの温風が吹き出される空調対象室の設定温度が制御部により最大値に変更されることから、高温風の要求を受けて温風の温度を上げたことによって空調対象空間の室内温度が上がり易くなっているけれども、設定温度を変更しない場合に比べて第１冷媒経路を用いた暖房運転をサーモオフし難くすることができる。
【００２１】
本発明の第９観点に係る空気調和装置は、第１観点から第８観点のいずれかに係る空気調和装置であって、制御部は、高温風の要求を受けた場合に、第１利用側熱交換器を流れる冷媒の温度が上がるように第１膨張弁の弁開度を補正する制御を行う、ものである。
【００２２】
第９観点に係る空気調和装置によれば、高温風の要求を受けた場合に、第１利用側熱交換器を流れる冷媒の温度が上がるように第１膨張弁の弁開度を補正することから温風に対して弁開度の補正によって温度が上がった、第１利用側熱交換器の冷媒から多くの熱量が与えられる。
【００２３】
本発明の第１０観点に係る空気調和装置は、第１観点から第６観点のいずれかに係る空気調和装置であって、冷媒回路は、圧縮機、第２利用側熱交換器、制御部に制御される第２膨張弁、熱源側熱交換器が順に接続される少なくとも１つの第２冷媒経路をさらに有し、制御部は、高温風の要求を受けた場合に、高温風の要求の無かった第２冷媒経路を用いた暖房運転がサーモオフしている場合に第２利用側熱交換器に冷媒を溜めるように第２膨張弁を制御する、ものである。
【００２４】
第１０観点に係る空気調和装置によれば、制御部は、高温風の要求の無かった第２冷媒経路を用いた暖房運転がサーモオフしている場合に第２利用側熱交換器に冷媒を溜めるように第２膨張弁を制御することから、第１利用側熱交換器を流れる冷媒の温度を上げるために生じた余剰冷媒を適切に分配できる。
【００２５】
本発明の第１１観点に係る空気調和装置は、第１観点から第６観点のいずれかに係る空気調和装置であって、制御部は、第２冷媒経路を用いた暖房運転がサーモオフしている場合に、圧縮機に吸入される冷媒の温度を目標温度に近づけるようにまたは圧縮機から吐出される冷媒の温度を目標温度に近づけるように第２膨張弁の弁開度を制御する、ものである。
【００２６】
第１１観点に係る空気調和装置によれば、制御部は、第２冷媒経路を用いた暖房運転がサーモオフしている場合に圧縮機に吸入される冷媒の温度または圧縮機から吐出される冷媒の温度を目標温度に近づけるように第２膨張弁の弁開度を制御することから、第２利用側熱交換器に冷媒を溜める第２膨張弁の制御を容易に実現することができる。
【００２７】
本発明の第１２観点に係る空気調和装置は、第１観点から第６観点のいずれかに係る空気調和装置であって、第２利用側熱交換器の冷媒出口と冷媒入口の間に配置された中間温度センサをさらに備え、制御部は、第２冷媒経路を用いた暖房運転がサーモオンしている場合に中間温度センサにより冷媒が過冷却状態になったことが検知されると保護制御に移行するが、サーモオフしている場合には保護制御に移行しないように構成されている、ものである。
【００２８】
第１２観点に係る空気調和装置によれば、制御部は、第２冷媒経路を用いた暖房運転がサーモオフしている場合には中間温度センサにより冷媒が過冷却状態になったことが検知されても保護制御に移行しないことから、中間温度センサが過冷却状態を検知しても液冷媒を蓄え続けながら暖房運転を続けられる。
【発明の効果】
【００２９】
第１観点に係る空気調和装置では、高温風の要求を受けた第１利用側熱交換器から吹き出される温風の温度を十分に上げることができる。
【００３０】
第２観点、第４観点、第５観点、第６観点または第９観点に係る空気調和装置では、第１利用側熱交換器を通過する空気が受け取る熱量を増やして温風の温度を十分に上げることができる。
【００３１】
第３観点に係る空気調和装置では、第１冷媒経路の第１利用側熱交換器で過冷却領域が減って過熱領域が増えても空気調和装置の冷媒を適切に配分でき、効率の良い運転状態を維持することができる。
【００３２】
第７観点に係る空気調和装置では、リモートコントローラを使ってユーザが必要に応じて高温風の要求を行うことができる。
【００３３】
第８観点に係る空気調和装置では、高温風の要求があったことで第１利用側熱交換器からの温風が止まる回数が多くなるのを抑制して快適性を確保することができる。
【００３４】
第１０観点または第１１観点に係る空気調和装置では、圧縮機に吸入される冷媒の温度が効率の良い温度になるように制御し易くなる。
【００３５】
第１２観点に係る空気調和装置では、暖房運転がサーモオフしている第２利用側熱交換器に多くの液冷媒を溜めることができて第１利用側熱交換器のガス冷媒の占める過熱領域を拡大し易くなる。
【図面の簡単な説明】
【００３６】
【図１】本発明の一実施形態に係る空気調和装置を示す冷媒回路図。
【図２】空気調和装置の制御系統を示すブロック図。
【図３Ａ】高温風制御前の第１利用側熱交換器の状態を説明するための模式図。
【図３Ｂ】高温風制御後の第１利用側熱交換器の状態を説明するための模式図。
【図３Ｃ】高温風制御後の運転部屋の第２利用側熱交換器の状態を説明するための模式図。
【図３Ｄ】高温風制御後の停止部屋の第２利用側熱交換器の状態を説明するための模式図。
【図４】他室の室内機の制御を説明するためのフローチャート。
【図５】高圧相当飽和温度とファンタップの設定の関係の一例を示す説明図。
【発明を実施するための形態】
【００３７】
（１）構成
本発明の一実施形態に係る空気調和装置の冷媒回路を、図１に示す。空気調和装置１は、多室型空気調和装置であって、１つの熱源側ユニットである室外機１９に対して、複数の利用側ユニットである室内機１１，１２，１３，１４が並列に接続される構成である。室外機１９は、圧縮機３６、アキュムレータ３７、四路切換弁３８、熱源側熱交換器である室外熱交換器３５、膨張弁３１，３２，３３，３４、及び熱源側ファンである室外ファン３９を収容している。室内機１１，１２，１３，１４は、利用側熱交換器である室内熱交換器２１，２２，２３，２４及び利用側ファンである室内ファン５１，５２，５３，５４を収容している。
【００３８】
圧縮機３６は、後述する制御部４０によって回転数制御ができるように構成されている。ここで、圧縮機３６は、冷凍サイクルの低圧の冷媒を高圧になるまで圧縮する機器である。圧縮機３６は、インバータにより周波数制御が可能な圧縮機用モータ３６ａによって回転駆動される容量式圧縮機である。室外ファン３９は、制御部４０によって回転数制御が可能な室外ファン用モータ３９ａにより駆動される。室外ファン３９は、例えばプロペラファンであり、回転数を変えることによって風量を変更できるように構成されている。膨張弁３１〜３４は、制御部４０によってそれぞれの弁開度が個別に変更されるように制御される。室内ファン５１，５２，５３，５４は、制御部４０によって回転数制御が可能な室内ファン用モータ５１ａ，５２ａ，５３ａ，５４ａによりそれぞれが駆動される。室内ファン５１〜５４は、例えば遠心ファンまたは多翼ファンであり、回転数を変えることによって風量を変更できるように構成されている。
【００３９】
空気調和装置１の冷媒回路２は、圧縮機３６、アキュムレータ３７、四路切換弁３８、室外熱交換器３５、膨張弁３１〜３４、室内熱交換器２１〜２４が接続されて構成されている。
【００４０】
冷媒経路ｒ１を流れる冷媒は、圧縮機３６と室内熱交換器２１と膨張弁３１と室外熱交換器３５と四路切換弁３８とアキュムレータ３７を流れる。冷媒経路ｒ２を流れる冷媒は、圧縮機３６と室内熱交換器２２と膨張弁３２と室外熱交換器３５と四路切換弁３８とアキュムレータ３７を流れる。冷媒経路ｒ３を流れる冷媒は、圧縮機３６と室内熱交換器２３と膨張弁３３と室外熱交換器３５と四路切換弁３８とアキュムレータ３７を流れる。冷媒経路ｒ４を流れる冷媒は、圧縮機３６と室内熱交換器２４と膨張弁３４と室外熱交換器３５と四路切換弁３８とアキュムレータ３７を流れる。
【００４１】
冷媒経路ｒ１〜ｒ４では、それぞれに蒸気圧縮式の冷凍サイクルが実施される。この冷媒回路２を循環する冷媒としては、例えば、地球温暖化係数が小さい単一冷媒のＲ３２（組成は、ＨＦＣ−３２が１００％）が用いられている。
【００４２】
また、四路切換弁３８と室内熱交換器２１〜２４との間は、ガス冷媒配管１７により接続され、膨張弁３１〜３４と室内熱交換器２１〜２４との間は、液冷媒配管１８により接続される。
【００４３】
また、空気調和装置１は、サーミスタからなる多くの温度センサを備えている。室外温度センサ９７は、室外機１９が設置されている室外空間の外気温度を検知する。吐出管温度センサ９０は、圧縮機３６の吐出配管に取り付けられ、圧縮機３６から吐出される冷媒の吐出温度Ｔｏを検出する。暖房運転時に蒸発温度を検知する室外熱交温度センサ９５は、熱源側熱交換器である室外熱交換器３５に取り付けられ、暖房運転時の蒸発温度Ｔｅを検出する。室内熱交温度センサ９１，９２，９３，９４は、室内熱交換器２１，２２，２３，２４に取り付けられ、暖房運転時の凝縮温度Ｔｃ１〜Ｔｃ４を検出する。液管温度センサ８１，８２，８３，８４は、室外熱交換器３５から分岐して室内熱交換器２１〜２４へと延びる液冷媒配管１８の各部１８ａ，１８ｂ，１８ｃ，１８ｄに取り付けられ、液管温度Ｔｌ１〜Ｔｌ４を検出する。室内温度センサ６１〜６４は、室内機１１〜１４にそれぞれ取り込まれる室内空気の温度である室内温度Ｔｒ１〜Ｔｒ４を検知するように、それぞれが対応する室内機１１〜１４内に配置されている。ガス管温度センサ７１〜７４は、四路切換弁３８から分岐して室内熱交換器２１〜２４へと延びるガス冷媒配管１７の各部１７ａ，１７ｂ，１７ｃ，１７ｄに取り付けられる。これら温度センサの検出値に基づき、制御部４０が空気調和装置１の動作を制御する。
【００４４】
（２）動作
（２−１）冷房時の冷媒の流れ
次に空気調和装置１の動作の概略を説明する。冷房運転時は、四路切換弁３８が図１において実線で示す状態に保持される。圧縮機３６から吐出された高温高圧のガス冷媒は、四路切換弁３８を介して室外熱交換器３５に流入し、室外ファン３９により供給される外気と室外熱交換器３５で熱交換して凝縮・液化する。液化した冷媒は、膨張弁３１〜３４で減圧され、室内ファン５１〜５４により供給される室内空気と室内熱交換器２１〜２４でさらに熱交換して蒸発する。冷媒の蒸発によって冷却された室内空気は、室内ファン５１〜５４によって室内空間へと吹き出され、室内空間を冷房する。また、室内熱交換器２１〜２４で蒸発して気化した冷媒は、ガス冷媒配管１７を通って室外機１９に戻り、四路切換弁３８及びアキュムレータ３７を経て圧縮機３６に吸い込まれる。
【００４５】
（２−２）暖房時の冷媒の流れ
暖房運転時は、四路切換弁３８が図１において破線で示す状態に保持される。圧縮機３６から吐出された高温高圧のガス冷媒は、四路切換弁３８を介して各室内機１１〜１４の室内熱交換器２１〜２４に流入し、室内ファン５１〜５４により供給される室内空気と室内熱交換器２１〜２４で熱交換して凝縮・液化する。冷媒の凝縮によって加熱された室内空気は、室内ファン５１〜５４によって室内空間へと吹き出され、室内空間を暖房する。室内熱交換器２１〜２４において液化した冷媒は、液冷媒配管１８を通って室外機１９に戻る。室外機１９に戻った冷媒は、膨張弁３１〜３４で減圧され、室外ファン３９により供給される室外空気と室外熱交換器３５でさらに熱交換して蒸発する。室外熱交換器３５で蒸発して気化した冷媒は、四路切換弁３８及びアキュムレータ３７を経て圧縮機３６に吸い込まれる。
【００４６】
上記のように、暖房運転においては、室内熱交換器２１〜２４（利用側熱交換器）が冷媒の放熱器として機能して室内を暖め、室外熱交換器３５（熱源側熱交換器）が冷媒の蒸発器として機能する。
【００４７】
（３）制御
図２には、空気調和装置１の制御系統の概要が示されている。制御部４０は、室内制御装置４１〜４４と室外制御装置４５とを含んでいる。具体的には、室外機１９の電装品ボックス（図示せず）の中の制御基板（室外制御装置４５に対応）および室内機１１〜１４の電装品ボックス（図示せず）の中の制御基板（室内制御装置４１〜４４に対応）が接続されて制御部４０が構成されている。室内制御装置４１〜４４は、ＣＰＵ４１ａ〜４４ａ及びメモリ４１ｂ〜４４ｂを含んで構成されている。また、室外制御装置４５は、ＣＰＵ４５ａ、メモリ４５ｂ及びタイマ４５ｃを含んで構成されている。メモリ４１ｂ〜４５ｂには、室内機１１〜１４及び室外機１９を制御するためのプログラム及びデータが記述されている。ＣＰＵ４１ａ〜４５ａは、メモリ４１ｂ〜４５ｂに記述されているプログラムを実行することにより、各機器を制御するための信号を生成する。さらに、室内機１１〜１４には、ユーザが操作入力するリモートコントローラ１１１〜１１４の指令を受け付ける受信部、空調空気の吹出方向を変えるモータのドライバ、及び運転モードなどを表示する表示部などが設けられている。
【００４８】
図２に示すように、制御部４０には、上述の各温度センサの検出値が入力され、これらの値に基づいて冷房運転や暖房運転の制御が行われる。
【００４９】
（３−２）冷房運転制御
制御部４０は、冷房運転中の圧縮機３６の周波数や膨張弁３１〜３４の弁開度を制御する。冷房運転における制御については、従来通りであるため、ここでは説明を省略する。
【００５０】
（３−３）暖房運転制御
制御部４０は、停止状態から圧縮機３６を起動して暖房運転を始めるときの起動制御、起動後の冷媒状態が安定した通常暖房運転状態における膨張弁３１〜３４の弁開度調整のための目標吐出管温度制御及びサブククール制御、通常暖房運転状態における圧縮機３６の容量制御、高温風要求があった場合の制御、室外熱交換器３５に着いた霜を溶かすための除霜制御などを行う。ここでは、本発明と関連する通常暖房運転時の目標吐出管温度制御、サブクール制御及び容量制御並びに高温風要求があった場合の高温風制御について説明する。
【００５１】
（３−３−１）通常暖房運転の目標吐出管温度制御
目標吐出管温度制御においては、吐出管温度を用いて膨張弁３１〜３４の弁開度を制御することにより、間接的に圧縮機３６の吸入側の過熱度制御を行うとともに、圧縮機３６の吐出温度の管理及び圧縮機３６が吸入する冷媒が湿り状態になっても圧縮機３６の運転が管理できるように構成されている。圧縮機３６に吸入される冷媒が湿り状態になっても、圧縮機３６が損傷しない範囲で吐出管温度制御が行われる。
【００５２】
通常暖房運転状態においてける目標吐出管温度制御では、制御部４０は、吐出管温度センサ９０が検知した吐出温度Ｔｏが目標吐出管温度Ｔｍに近づくように、膨張弁３１〜３４の弁開度を調整する。正確には、吐出管温度センサ９０が検出する温度は圧縮機３６の吐出管の温度であって吐出される冷媒の温度ではない。そのため吐出管温度センサ９０が検出する温度を補正することが好ましい場合があるが、ここでは、吐出管温度センサ９０が検出する温度が吐出される冷媒の温度に等しいものとして説明を行う。
【００５３】
制御部４０は、目標吐出管温度Ｔｍは、室外熱交温度センサ９５を用いて検知される蒸発温度Ｔｅと、室内熱交温度センサ９１〜９４を用いて検知される凝縮温度Ｔｃとに基づいて設定される。目標吐出管温度Ｔｍは、通常の運転状態であれば、後述する吐出過熱度が１０℃以上確保される値となる。
【００５４】
この目標吐出管温度制御により、冷凍サイクルの効率の高いポイント（圧力および温度）において冷媒が圧縮機３６に吸入され圧縮機３６から吐出されるようになる。なお、膨張弁３１〜３４全体としての弁開度が目標吐出管温度制御によって調整される一方、各室内機１１〜１４において必要な暖房能力に応じて各膨張弁３１〜３４の弁開度が調整される。
【００５５】
（３−３−２）通常暖房運転時の圧縮機の容量制御
通常暖房運転状態における圧縮機３６の容量制御は、各室内機１１〜１４からの要求に基づいて圧縮機３６の回転数を上下させる制御である。具体的には、室内機１１〜１４の室内温度センサ６１〜６４が検知する室内温度Ｔｒ１〜Ｔｒ４と、リモートコントローラ１１１〜１１４で設定された設定温度Ｔｓ１〜Ｔｓ４との差に基づき、制御部４０が、必要な圧縮機３６の出力を決めて、圧縮機３６の回転数を変更する。
【００５６】
（３−３−３）通常暖房運転時のサブクール制御
通常暖房運転状態におけるサブクール制御は、目標吐出管温度制御により決定される各膨張弁３１〜３４の弁開度を、暖房運転時の冷媒の分配が適正に行われるように補正する制御である。制御部４０は、運転部屋の液管温度センサ８１〜８４が検出する液管温度Ｔｌ１〜Ｔｌ４と室内熱交温度センサ９１〜９４が検出する凝縮温度Ｔｃ１〜Ｔｃ４とを使って各運転部屋の過冷却度ＳＣ１〜ＳＣ４を算出することができる。例えば、（ＳＣ１＝Ｔｃ１−Ｔｌ１）などのように、各凝縮温度Ｔｃ１〜Ｔｃ４から各液管温度Ｔｌ１〜Ｔｌ４を差し引くことで、各運転部屋の過冷却度ＳＣ１〜ＳＣ４を求めることができる。この実施形態では、室内機１１〜１４が異なる第１部屋から第４部屋に配置されているとして説明する。ここで、運転部屋とは、第１部屋から第４部屋のうち室内機１１〜１４がサーモオンしている部屋をいう。それに対して、第１部屋から第４部屋のうち室内機１１〜１４がサーモオフしている部屋は停止部屋と呼ぶ。
【００５７】
上述の過冷却度ＳＣ１〜ＳＣ４このような計算と並行して、制御部４０は、例えば、圧縮機３６の回転数ｆｃ、吐出温度Ｔｏと目標吐出管温度Ｔｍとの温度差などを用いて目標過冷却度ＳＣｍを算出する。例えば、第１部屋の室内機１１がサーモオンしている場合には、目標過冷却度ＳＣｍと、運転部屋である第１部屋の室内機１１の過冷却度ＳＣ１とを比較して膨張弁３１の弁開度を補正する。
【００５８】
もし、第１部屋の過冷却度ＳＣ１が目標過冷却度ＳＣｍより小さければ（ＳＣ１＜ＳＣｍ）、第１部屋の膨張弁３１の弁開度を大きくする。
【００５９】
もし、第１部屋の過冷却度ＳＣ１が目標過冷却度ＳＣｍより大きければ（ＳＣ１＞ＳＣｍ）、第１部屋の膨張弁３１の弁開度を小さくする。
【００６０】
もし、第１部屋の過冷却度ＳＣ１が目標過冷却度ＳＣｍと等しければ（ＳＣ１＝ＳＣｍ）、第１部屋の膨張弁３１の弁開度を現状のまま維持する。
【００６１】
なお、弁開度を維持する場合を広げるために、過冷却度ＳＣ１と目標過冷却度ＳＣｍの差ΔＳＣが予め定められた範囲内にある場合には弁開度を変化させないように制御してもよい。
【００６２】
（４）高温風制御
高温風制御は、例えば、リモートコントローラ１１１〜１１４に設けられている、高温風を要求する高温風要求操作ボタンをユーザが操作することにより開始される。ここで、高温風制御は、高温風の要求を受けた場合に、高温風要求を受けた室内機が設置されている部屋の第１利用側熱交換器を通過して吹出される温風の温度を一時的に上昇させる制御である。なお、以下の説明では、高温風の要求のあった室内機が設置されている部屋を高温風部屋、高温風の要求の無かった室内機が設置されている部屋を他室と呼ぶ場合もある。
【００６３】
例えば、ユーザがリモートコントローラ１１４の高温風操作ボタンを操作して高温風の要求を送信した場合は、第４部屋が高温風部屋であり、第４部屋の室内熱交換器２４が第１利用側熱交換器に該当する。なお、リモートコントローラ１１１〜１１４のうちの複数で高温風操作ボタンが操作された場合には、複数の部屋が高温風部屋になり、複数の高温風部屋の室内熱交換器が第１利用側熱交換器に該当するように構成することもできる。また、要求があっても高温風制御を行うことが適切ではない場合があるので、制御部４０は、高温風要求操作ボタンが押されることを１つの開始条件として、他の開始条件も満足されたときに高温風制御を行うように構成してもよい。また、リモートコントローラ１１１〜１１４の高温風要求操作ボタンを操作する方法以外の方法で高温風制御が開始されるように構成してもよい。ただし、ここでは説明を簡単にするために、ユーザがリモートコントローラ１１１〜１１４の高温風要求操作ボタンを操作したときに高温風制御が開始されるものとする。以下の説明では、高温風要求操作ボタンが押された部屋の室内熱交換器を第１利用側熱交換器と呼ぶ。また、第１利用側熱交換器が接続されている経路を第１冷媒経路と呼び、第１冷媒経路に在る膨張弁を第１膨張弁と呼ぶ。上述のように、リモートコントローラ１１４の高温風操作ボタンが操作された場合には、冷媒経路ｒ４が第１冷媒経路であり、膨張弁３４が第１膨張弁である。
【００６４】
制御部４０は、例えば、高温風制御に入ってからの経過時間をタイマ４５ｃによりカウントし、予め設定されている時間（例えば３０分）に達したことを条件として高温風制御を解除する。また、制御部４０は、高温風制御を続けることが適切でないと判断した場合には、高温風制御を解除する。例えば、高温風部屋の室内機１４がリモートコントローラ１１４からの指示で電源をオフされた場合などには、高温風の要求を出した室内機が無くなってしまうので、そのような場合にはタイマ４５ｃのカウントが設定された時間に達していなくても高温風制御を解除する。
【００６５】
（４−１）高温風制御のための能力引き上げ
制御部４０は、高温風要求を受けた場合に、第１利用側熱交換器に流れる冷媒の流量を増やす制御を行う。具体的には、制御部４０は、高温風要求を受けた場合に、圧縮機３６の回転数を上げる。制御部４０は、例えば、圧縮機３６の回転数に補正値を加えて圧縮機３６の回転数を高温風要求前に比べて大きくする。また、高温風要求を受けた場合に圧縮機３６の回転数を上げるために、制御部４０は、例えば、圧縮機３６の回転数の上限値を引き上げるように構成されてもよい。
【００６６】
制御部４０は、高温風要求を受けた場合に、熱源側熱交換器に流れる外気の流量を増やす制御を行う。具体的には、制御部４０は、温風要求を受けた場合に、室外ファン３９の回転数を上げる。制御部４０は、例えば、高温風要求を受けた場合に、室外ファン３９の回転数を最大値に設定する。
【００６７】
（４−２）熱交換器通過空気の単位体積当たりの熱量の確保
制御部４０は、高温風要求を受けた第１利用側熱交換器を通過して温風として吹き出される風量を制限する制御を行う。ここでは、高温風部屋の第１利用側熱交換器には第１利用側ファンで送風する。具体的には、例えば、リモートコントローラ１１２の高温風要求操作ボタンが操作された場合には、制御部４０は、第１利用側ファンとなった室内ファン５２のファンタップを予め設定されたタップ以下の風量のタップに制限する。室内ファン５２について、例えば、６段階の切換えが可能な場合に、風量が小さい方から３番目以下に制限するなどである。風量があまり小さくなり過ぎても高温風を受けている実感をユーザが得難い場合もあるので、温風の温度が下がり過ぎない適当な風量に設定される。また、風量を下げる場合には、制御部４０は、徐々に下げるように制御する。
【００６８】
（４−３）膨張弁の弁開度の変更
制御部４０は、高温風の要求を受けた場合に、高温風部屋の第１利用側熱交換器を流れる冷媒の温度が上がるように第１膨張弁の制御を変更する。言い換えると、制御部４０は、第１利用側熱交換器の平均温度を上げるように第１膨張弁の弁開度を変更する。具体的には、高温風制御前は、図３Ａに示されているような第１利用側熱交換器１２１に流れ込んだガス冷媒Ｒｆ１によって形成される過熱領域を、高温風制御後は、図３Ｂに示されているように大きくする。それに伴って、高温風制御前は、図３Ａに示されているよう大きかった過冷却領域が、高温風制御後は、図３Ｂに示されている過冷却領域のように小さくなる。その結果、例えば、高温風制御前に、第１利用側熱交換器１２１が２０℃の室内温度を熱交換によって５０℃まで上昇させていたのに比べて、高温風制御後は、第１利用側熱交換器１２１が２０℃の室内温度を熱交換によって６０℃まで上昇させることができるようになる。それに対して、運転部屋の高温風の要求の無かった第２利用ユニット２０２の第２利用側熱交換器１２２は、図３Ｃに示されているように、高温風制御後は、過冷却領域が増えて過熱領域が減る傾向にあり、第２利用側熱交換器１２２から吹き出される温風の温度は下がり気味になる。また、停止部屋の高温風の要求の無かった第２利用ユニット２０２の第２利用側熱交換器１２２は、図３Ｄに示されているように、第２利用側ファンが停止して、高温風制御後は、過冷却領域がさらに増えて過熱領域がさらに減る。
【００６９】
なお、図３Ａ乃至図３Ｄにおいて、過冷却領域から流出する冷媒は液冷媒Ｒｆ２である。また、過熱領域の冷媒の平均温度が７０℃、気液二相領域の冷媒の温度が５０℃、そして、過冷却領域の冷媒の温度が３０℃である場合が示されているが、これは説明のためのモデルであって実際の場合が必ずしもこのモデルと一致するとは限らない。また、図３Ａ、図３Ｂ及び図３Ｃにおいて、第１利用側熱交換器１２１から出た液冷媒Ｒｆ２を膨張させるのが第１膨張弁１３１であり、第１利用側熱交換器１２１に送風するのが第１利用側ファン１５１であり、第２利用側熱交換器１２２から出た液冷媒Ｒｆ２を膨張させるのが第２膨張弁１３２であり、第２利用側熱交換器１２２に送風するのが第２利用側ファン１５２である。
【００７０】
（４−３−１）サブクール制御の変更
（４−３−１−１）運転部屋の目標過冷却度の変更
制御部４０は、図３Ａ及び図３Ｂに示されている第１利用側熱交換器１２１を有する第１利用側ユニット２０１が高温風の要求を受けた場合に、第１利用側熱交換器１２１を有する第１利用側ユニット２０１に対して、目標過冷却度ＳＣｍを下げて、第１利用側熱交換器１２１においてガス冷媒が占有する過熱領域を増やす制御を行う。例えば、制御部４０は、通常暖房運転時と同様に目標過冷却度ＳＣｍを算出した後に、予め設定されている所定値を差し引いて高温風制御用の目標過冷却度ＳＣｍＨを算出する。所定値は、定数であってもよく、また予め定められている計算式に従って計算される値であってもよく、メモリ４１ｂ〜４５ｂ内のテーブルに記載されている値であってもよい。例えば、通常暖房運転時の目標過冷却度ＳＣｍが１２度であるとすると、図１に示されているように４台の室内機１１〜１４が接続され、そのうちの１台から高温風の要求があった場合には、その高温風の要求があった高温風部屋の室内機の変更後の目標過冷却度ＳＣｍＨは５度に変更される。高温風の要求があった高温風部屋が２以上である場合は、他室への影響を考慮するとともに全体的に効率の良い運転をするために、目標過冷却度ＳＣｍＨを大きくしていくことが好ましい。例えば、高温風部屋が２つである場合（２台の室内機から高温風の要求があった場合）は、高温風部屋が１つである場合（１台の室内機のみから高温風の要求があった場合）には５度であるのに対して例えば高温風部屋が２つの場合には目標過冷却度ＳＣｍＨを両部屋とも７〜８度に、高温風部屋が３つの場合には９〜１１度にするなどである。つまり、高温風の要求が複数の室内機からある場合には、要求がある室内機の数が多くなるほど目標過冷却度ＳＣｍＨの下げ幅を小さくするように構成されることが好ましい。
【００７１】
（４−３−１−２）他室の運転部屋の目標過冷却度
制御部４０は、ここでは、高温風の要求が無かった室内機の目標過冷却度ＳＣｍを通常暖房運転の場合のまま維持する制御を行うように構成されている。しかし、さらに高温風部屋に能力を集中させるために、制御部４０は高温風の要求が無かった部屋の目標過冷却度を大きくする制御を行うように構成されてもよい。例えば、室内機１１から高温風の要求があり、室内機１２〜１４からは要求が無かった場合には、高温風制御に入る直前で目標過冷却度ＳＣｍが１２度であったものが、高温風制御に入った後は室内機１１の目標過冷却度ＳＣｍＨを５度、室内機１２〜１４の目標過冷却度ＳＣｍＨを１３度にするなどである。
【００７２】
（４−３−１−３）停止部屋の室内機の制御
停止部屋の室内機に対して、制御部４０は、サブクール制御を行わずに目標吐出管温度制御を行う。この目標吐出管温度制御によって、停止部屋に対応する膨張弁の弁開度が小さくなる方向に変化する。このとき、停止部屋の室内ファンが停止しているが、膨張弁の弁開度が小さくなることによって、停止部屋の室内熱交換器には、高温風の要求があった高温風部屋の第１利用側熱交換器１２１（図３Ｂ参照）で減少した分の液冷媒が溜まることになる。その結果、空気調和装置１の全体としての冷媒の分配が適正化され、効率の良い暖房運転を続けることができる。例えば、第１利用側熱交換器１２１から追い出された冷媒を溜めるリザーバを冷媒回路２に設けてもよいが、上述のように停止部屋の室内熱交換器に余剰冷媒を溜めることでリザーバなどの機器の追加を省くことができる。
【００７３】
室内熱交換器２１〜２４に取り付けられている室内熱交温度センサ９１〜９４は、室内熱交換器２１〜２４の冷媒出口と冷媒入口の間に配置された中間温度センサとして機能する。例えば室内熱交換器２１が高温風要求の無かった第２冷媒経路である冷媒経路ｒ１を用いた暖房運転である場合、制御部４０は、室内機１１がサーモオンしているときには室内熱交温度センサ９１により冷媒が過冷却状態になったことが検知されると保護制御に移行するが、サーモオフしている場合には保護制御に移行しないように構成されている。この場合に室内機１１が設置されている部屋が停止部屋になると、既に説明したように、室内熱交換器２１に液冷媒が溜まり易くなっているので、室内熱交温度センサ９１が液冷媒の温度を検知してしまう可能性が高くなる。このように、室内熱交温度センサ９１が過冷却を検知しても保護制御を行わない構成とすることで、高温風の要求が無く且つサーモオフしている室内機１１に多くの冷媒を溜めることができる。
【００７４】
（４−３−２）高温風の要求のあった室内機のサーモオフの抑制
高温風の要求のあった室内機が設置されている高温風部屋の室内空気には、多くの熱量が供給される。そのため、ユーザが設定されている設定温度を超える場合が頻出する。従って、ユーザが設定した設定温度を目標に暖房運転を管理したのでは、室内機がサーモオンとサーモオフを頻繁に繰り返してしまってユーザの快適性を損ねることになる。このようにサーモオンとサーモオフを繰り返さないように、高温風の吹き出される室内機の設定温度を制御部４０が自動的に最大値に変更する。この変更された設定温度は、高温風制御の終了とともに制御部４０によりユーザの設定に戻される。
【００７５】
（４−３−３）高温風の要求の無かった室内機のサーモオフの促進
ここでは、室内機１３が高温風の要求のあった第１利用側ユニットであり、他の室内機１１，１２，１４は高温風の要求が無かった第２利用側ユニットであると仮定すると、第２冷媒経路である冷媒経路ｒ１，ｒ２、ｒ４を用いた暖房運転がサーモオフし易くなるように、制御部４０は、室内機１１，１２，１４のサーモオフ条件を変更する。例えば、高温風制御に入るまでは、他室の室内機１１，１２，１４が設定温度Ｔｓ１，Ｔｓ２，Ｔｓ４と室内温度Ｔｒ１，Ｔｒ２，Ｔｒ４との差ΔＴｄ１（＝Ｔｒ１−Ｔｓ１），ΔＴｄ２（＝Ｔｒ２−Ｔｓ２），ΔＴｄ４（＝Ｔｒ４−Ｔｓ４）が３度でサーモオフしていたものを、０度つまり設定温度Ｔｓ１，Ｔｓ２，Ｔｓ４と室内温度Ｔｒ１，Ｔｒ２，Ｔｒ４が等しい場合にサーモオフするように、制御部４０がサーモオフ条件を緩める変更を行う。なお、サーモオフ条件の変更は、必ずしも同じである必要はなく、室内機１１は差ΔＴｄ１が０度、室内機１２は差ΔＴｄ２が１度のように異なるものとしてもよい。
【００７６】
（４−３−４）高温風の要求の無かった室内機の風量制御
高温風の要求のあった高温風部屋に設置されている室内機（第１利用側ユニット）の温風の温度が、高温風の要求の無かった他室の室内機（第２利用側ユニット）の風量に影響を受ける。また、高温風制御中に、第２利用側ユニットがサーモオンとサーモオフを繰り返すと、冷凍サイクルの高圧側の冷媒圧力が安定せず、第１利用側ユニットから吹き出される温風の温度がハンチングを起こす。
【００７７】
ここでは、室内機１３が高温風の要求のあった第１利用側ユニットであり、他の室内機１１，１２，１４は他室の第２利用側ユニットであると仮定すると、第２利用側ファンである室内ファン５１，５２，５４の風量が減るまたは無くなるように制御を行う高温風モードに移行する。
【００７８】
具体的には、制御部４０は、高圧飽和温度（室内熱交温度センサ９１〜９４の検出温度）が一定温度（Ｔｐ１℃）以上になっていなければ、室内ファン５１，５２，５４の風量を段階的に低下させる。室内熱交温度センサ９１〜９４として、圧力センサを用い、圧力センサで検出される高圧冷媒圧力を圧力相当飽和温度に換算してもよい。室内熱交温度センサ９１〜９４がサーミスタのような温度センサであると、過冷却度を正しく検出できない場合が発生する可能性がある。このように、高圧冷媒の圧力値を高圧飽和温度に読み替えることで制御の精度の向上が図れる。
【００７９】
他室の室内機１１，１２，１４の制御について、図４のフローチャートに沿って説明する。まず、リモートコントローラ１１３の高温風操作ボタンが操作されて室内機１３から高温風の要求が制御部４０に送信されると、高温風制御が開始される（ステップＳ１）。高温風制御の開始により、制御部４０は、タイマ４５ｃによってカウントを開始する（ステップＳ２）。次に、上述の（４−２）で説明したように、制御部４０は、高温風部屋の室内機１３の室内ファン５３の回転数を徐々に下げる（ステップＳ３）。制御部４０は、例えば、室内ファン５３の回転数を１分間に１００〜２００ｒｐｍの割合で減少させる。
【００８０】
次に。上述の（４−３−３）で説明したように、サーモオフ条件が変更されており、変更前は、設定温度Ｔｓ１，Ｔｓ２，Ｔｓ４よりも３度以上室内温度Ｔｒ１，Ｔｒ２，Ｔｒ４が高くないとサーモオフしないが、サーモオフ条件変更後の設定温度Ｔｓ１，Ｔｓ２，Ｔｓ４と同じか否かでサーモオフするか否かを判断する（ステップＳ４）。例えば、室内温度Ｔｒ４が設定温度Ｔｓ４に達していれば、その室内機１４をサーモオフする（ステップＳ５）。なお、ステップＳ３とステップＳ４，Ｓ５とは並列で行われてもよく、また先にステップＳ４，Ｓ５が行われた後にステップＳ３が行われてもよい。
【００８１】
この時点では、室内機１４がサーモオフしているが、室内機１１，１２がサーモオンしていて室内ファン５１，５２が駆動されている。制御部４０は、高圧相当飽和温度（凝縮温度Ｔｃ（例えば凝縮温度Ｔｃ１））が一定温度Ｔｐ１以上になっているか否かを判断する（ステップＳ５）。高圧相当飽和温度が一定温度Ｔｐ１未満であれば、制御部４０は、室内ファン５１，５４の回転数を４０ｒｐｍ下げる（ステップＳ７）。この場合のＴｐ１は例えば四十数度である。なお、ここでは、ステップＳ７の次にステップＳ８が行われているが、ステップＳ７の次に、再度ステップＳ６の判断が行われるような構成としてもよい。
【００８２】
高圧相当飽和温度がＴｐ１以上になると、高温風制御機能をオフするような要求が来たり（ステップＳ８），タイマ４５ｃがカウントアップしたり（ステップＳ９）、といったことが無ければ、高温風モードを継続するためにステップＳ４に戻って上述の動作を繰り返す。高温風制御機能をオフするような要求が来たり（ステップＳ８），タイマ４５ｃがカウントアップしたり（ステップＳ９）、といった状況が発生した場合には高温風モードを終了する。
【００８３】
（５）変形例
（５−１）変形例Ａ
上記実施形態では、４台の室内機１１〜１４を接続できる液管用およびガス管用の４対の接続ポートが室外機１９に設けられ、室外機１９に２台〜４台の室内機を接続可能な多室型の空気調和装置１に本発明を適用しているが、接続可能な室内機の台数は複数であればよく、最大で５台の室内機を１つの室外機に接続可能な空気調和装置に本発明を適用することもできる。最大で３台の室内機を１つの室外機に接続可能な空気調和装置に対しても、本発明を適用することができる。
【００８４】
また、１つの室外機に対して１つの室内機を接続するペアタイプの空気調和装置に本発明を適用してもよい。
【００８５】
（５−２）変形例Ｂ
上記実施形態では、冷房運転と暖房運転とを切り換えることができる空気調和装置１に本発明を適用しているが、他の冷凍装置、例えば、暖房専用の空気調和装置などに本発明を適用することも可能である。
【００８６】
（５−３）変形例Ｃ
上記実施形態では、図４を用いて説明したように、高温風モードに移行したときには、他室のファン回転数を下げる制御を行ったが、他室の運転部屋のファン風量が減るようにまたは無くなるように制御を行う高温風モードに移行したときに、他室の運転部屋の上限ファンタップを下げるように構成してもよい。実施形態の図４を用いて説明した場合のように、他室の運転部屋に室内機１１，１２が在るとすると、制御部４０は、例えば室内熱交換器２３の高圧相当飽和温度（凝縮温度Ｔｃ（凝縮温度Ｔｃ３））に基づいて室内ファン５１，５２の上限ファンタップを、例えば図５に示されているように変化させる。つまり、ステップＳ６では、高圧相当飽和温度が図５の垂下ゾーンにあるか、無変化ゾーンにあるか、またはアップゾーンにあるかが判断される。垂下ゾーンにある場合には、ステップＳ７において、制御部４０が室内ファン５２，５２の上限ファンタップを１タップだけ垂下させた後にステップＳ８の判断を行う。無変化ゾーンにあるときには、そのままステップＳ８の判断を行う。アップゾーンにあるときは、上限ファンタップを１タップだけ上昇させた後にステップＳ８の判断を行う。
【００８７】
図５に示されている判断の仕方によれば、高圧相当飽和温度が上昇しているときには、高圧相当飽和温度がＴｐ２以上になるまでは垂下ゾーンに在り、Ｔｐ２以上Ｔｐ３未満のときには無変化ゾーンに在り、Ｔｐ３以上のときにはアップゾーンに在ると判断する。高圧相当飽和温度が下降しているときには、高圧相当飽和温度がＴｐ２以下になるまではアップゾーンに在り、Ｔｐ１以下になるまでは無変化ゾーンに在ると判断し、Ｔｐ１以下になると垂下ゾーンにあると判断する。なお、Ｔｐ２は例えばＴｐ１よりも数度大きく、Ｔｐ３は例えばＴｐ２よりも数度大きい。
【００８８】
（５−４）変形例Ｄ
上記実施形態では、（４−３−１−１）で説明したように、サブクール制御において高温風部屋の室内機の目標過冷却度ＳＣｍを変更することにより、第１利用側熱交換器を流れる冷媒の温度が上がるように第１膨張弁の制御を変更したが、高温風部屋の室内機の第１膨張弁の弁開度を補正することによって１利用側熱交換器を流れる冷媒の温度が上がるように構成してもよい。例えば、高温風部屋の室内機の第１膨張弁の弁開度を予め設定されている一定の弁開度に固定するようにしてもよい。このように、第１利用側熱交換器を流れる冷媒の温度が上がるように行われる第１膨張弁の制御は、目標過冷却度ＳＣｍの変更に限られるものではない。
【００８９】
（５−５）変形例Ｅ
上記実施形態では、間接的に圧縮機３６の吸入側の過熱度制御を行う目標吐出管温度制御を行う場合を例に挙げて説明したが、直接吸入側の過熱度制御を行う空気調和装置についても本発明を適用することができる。
【００９０】
（６）特徴
以下の特徴の説明では、説明を分かり易くするために、室内機１１がリモートコントローラ１１１から高温風の要求を受け、室内機１２〜１４が高温風の要求を受けなかった場合を例に挙げる。また、高温風の要求を受けなかった室内機１２〜１４のうち室内機１２がサーモオンし、室内機１３,１４がサーモオフしているものとして以下の特徴の説明をする。
【００９１】
（６−１）
上述のように設定した例の状態に空気調和装置１があると、高温風部屋の室内機１１の室内熱交換器２１が第１利用側熱交換器になり、膨張弁３１が第１膨張弁になる。制御部４０は、高温風制御を行うときには、膨張弁３１の制御を変更して、室内熱交換器２１を流れる冷媒の温度を上げ、例えば図３Ｂに示されているように、過熱領域を広げることで室内熱交換器２１に流れる冷媒の平均温度（室内熱交換器の平均温度）を上げている。その結果、室内熱交換器２１で熱交換されて吹き出される温風に対して、通常の暖房運転よりも多くの熱量を与えることができ、高温風の要求を受けた室内機１１から吹き出される温風の温度を十分に上げることができる。
【００９２】
（６−２）
上述のように設定した例では、高温風の要求を受けて制御部４０が下げた室内機１１の目標過冷却度ＳＣｍＨにより、図３Ｂに示された第１利用側熱交換器１２１のように室内熱交換器２１の過熱領域が増える。室内熱交換器２１において高温のガス冷媒が占める過熱領域を増やすことができ、室内熱交換器２１を通過する空気が受け取る熱量を増やして室内機１１が吹出す温風の温度を十分に上げることができる。
【００９３】
（６−３）
上述のように設定した例では、上述の（４−３−３）で説明したように、制御部４０により、高温風の要求の無かった冷媒経路ｒ２〜ｒ４（高温風の無かった第２冷媒経路の例）に接続された室内機１２〜１４がサーモオフし易くなるように冷媒経路ｒ２〜ｒ４の室内機１２〜１４のサーモオフ条件が変更される。室内機１２がサーモオン状態にあり、室内機１３，１４がサーモオフ状態にあるので、室内機１２のみサーモオフ条件を変更してもよい。しかし、室内機１３，１４が暖房運転されている状態でサーモオフされているのであれば、室内温度Ｔｒ３，Ｔｒ４が下がってくればいずれはサーモオフすることが予想される。そのため、サーモオフ状態にある室内機１３，１４のサーモオフ条件を変更してサーモオフし易くしておけば、後にサーモオンしたときに短期間でサーモオフさせることができることになる。このように、冷媒経路ｒ２〜ｒ４を用いた暖房運転がサーモオフする期間が増えて冷媒経路ｒ２〜ｒ４に冷媒が溜まり易くなると、冷媒経路ｒ１の室内熱交換器２１で過冷却領域が減って過熱領域が増えても空気調和装置１の冷媒を適切に配分でき、空気調和装置１は効率の良い運転状態を維持することができる。
【００９４】
（６−４）
上述のように設定した例では、高温風制御において圧縮機３６の回転数を上げて室内熱交換器２１に流れる冷媒の流量を増やすと、膨張弁３１の制御が変更されて室内熱交換器２１を流れる冷媒の温度が上がることともあいまってより多くの熱量が冷媒から室内熱交換器２１を通過する空気に与えることができるようになる。
【００９５】
（６−５）
上述のように設定した例では、高温風制御において、熱源側ファンである室外ファン３９の回転数を上げると熱源側熱交換器である室外熱交換器３５での熱交換が促進されて蒸発能力が上がり、その結果、室内熱交換器２１での凝縮能力が上がって室内熱交換器２１を通過して吹き出される温風の温度を上げることができる。
【００９６】
（６−６）
上述のように設定した例では、高温風の要求を受けた場合に第１利用側ファンである室内ファン５１の風量を所定値以下にすることで、風量が所定値を超える場合に比べて第１利用側熱交換器である室内熱交換器２１を単位時間当たりに通過する空気の量が減少して単位体積の空気が受け取る熱量が増加する。
【００９７】
（６−７）
上記実施形態の構成では、リモートコントローラ１１１〜１１４の高温風操作ボタンが操作されるとリモートコントローラ１１１〜１１４が高温風の要求を送信して制御部４０が高温風の要求を受信できるので、リモートコントローラ１１１〜１１４を使ってユーザが必要に応じて高温風制御を行うように指示することができる。
【００９８】
（６−８）  
上述のように設定した例では、室内熱交換器２１からの温風が吹き出される空調対象室に設置されている室内機１１の設定温度Ｔｓ１が制御部４０により自動的に最大値に変更されることから、高温風の要求を受けて温風の温度を上げたことによって空調対象空間の室内温度Ｔｒ１が上がり易くなっているけれども、設定温度Ｔｓ１を変更しない場合に比べて冷媒経路ｒ１を用いた高温風部屋の室内機１１の暖房運転をサーモオフし難くすることができる。その結果、高温風の要求があったことで室内熱交換器２１からの温風が止まる回数が多くなるのを抑制して快適性を確保することができる。
【００９９】
（６−９）  
上述のように設定した例では、変形例Ｄで説明したように、高温風の要求を受けた場合に、第１利用側熱交換器である室内熱交換器２１を流れる冷媒の温度が上がるように第１膨張弁である膨張弁３１の弁開度を補正すると、弁開度の補正によって温度が上がった室内熱交換器２１の冷媒から温風に対して多くの熱量を与えることができるようになる。
【０１００】
（６−１０）       
上述のように設定した例では、制御部４０は、高温風の要求の無かった冷媒経路ｒ３，ｒ４を用いた室内機１３，１４の暖房運転がサーモオフしていることを活用して第２利用側熱交換器である室内熱交換器２３，２４に冷媒を溜めるように第２膨張弁である膨張弁３３，３４を制御する。その結果、室内熱交換器２１を流れる冷媒の温度を上げるために生じた余剰冷媒を適切に分配でき、圧縮機３６に吸入される冷媒の温度が効率の良い温度になるように制御し易くなる。
【０１０１】
（６−１１）       
上述のように設定した例では、制御部４０は、上記の（６−１０）の説明の具体例として、膨張弁３３，３４の制御を目標吐出管制御によって行うことにより、第２冷媒経路である冷媒経路ｒ３，ｒ４を用いた暖房運転がサーモオフしている場合に圧縮機３６に吸入される冷媒の温度または圧縮機３６から吐出される冷媒の温度を目標温度に近づけるように膨張弁３３，３４の弁開度を制御している。そのような制御によって図３Ｄを用いて説明したように、室内熱交換器２３，２４に冷媒を溜めることができる。
【０１０２】
（６−１２）       
上述のように設定した例では、制御部４０は、第２冷媒経路である冷媒経路ｒ３，ｒ４を用いた暖房運転がサーモオフしている場合には中間温度センサである室内熱交温度センサ９３，９４により冷媒が過冷却状態になったことが検知されても保護制御に移行しないように構成した場合、室内熱交温度センサ９３，９４が過冷却状態を検知しても液冷媒を蓄え続けながら暖房運転を続けられるので、暖房運転がサーモオフしている第２利用側熱交換器である室内熱交換器２３，２４に多くの液冷媒を溜めることができて第１利用側熱交換器である室内熱交換器２１のガス冷媒が占める過熱領域を拡大し易くなる。
【符号の説明】
【０１０３】
１    空気調和装置
２    冷媒回路
１１〜１４    室内機
２１〜２４    室内熱交換器
３１〜３４    膨張弁
３５    室外熱交換器（熱源側熱交換器の例）
３６    圧縮機
３９    室外ファン（熱源側ファンの例）
４０    制御部
５１〜５４    室内ファン
９１〜９４    室内熱交温度センサ
１２１    第１利用側熱交換器
１２２    第２利用側熱交換器
１３１    第１膨張弁
１３２    第２膨張弁
１５１    第１利用側ファン
１５２    第２利用側ファン
２０１    第１利用側ユニット
２０２    第２利用側ユニット
【先行技術文献】
【特許文献】
【０１０４】
【特許文献１】実開平４−４６４５号公報
【図１】
2019027686.tif 000003
【図２】
2019027686.tif 000004
【図３Ａ】
2019027686.tif 000005
【図３Ｂ】
2019027686.tif 000006
【図３Ｃ】
2019027686.tif 000007
【図３Ｄ】
2019027686.tif 000008
【図４】
2019027686.tif 000009
【図５】
2019027686.tif 000010
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
圧縮機（３６）、第１利用側熱交換器（１２１）、第１膨張弁（１３１）、熱源側熱交換器（３５）が順に接続される第１冷媒経路を有する冷媒回路（２）と、
前記圧縮機及び前記第１膨張弁の制御を行う制御部（４０）と、
を備え、
前記制御部は、前記第１利用側熱交換器を通過して吹出される温風の温度を一時的に上昇させる高温風の要求を受けた場合に、前記第１利用側熱交換器を流れる冷媒の温度が上がるように前記第１膨張弁の制御を変更する、空気調和装置。
【請求項２】
前記制御部は、前記高温風の要求を受けた場合に、目標過冷却度を下げて前記第１利用側熱交換器においてガス冷媒が占有する過熱領域を増やす制御を行う、
請求項１に記載の空気調和装置。
【請求項３】
前記冷媒回路は、前記圧縮機、第２利用側熱交換器（１２２）、前記制御部に制御される第２膨張弁（１３２）、前記熱源側熱交換器が順に接続される少なくとも１つの第２冷媒経路をさらに有し、
前記制御部は、前記高温風の要求を受けた場合に、前記高温風の要求の無かった前記第２冷媒経路を用いた暖房運転がサーモオフし易くなるように前記第２冷媒経路の暖房運転のサーモオフ条件を変更する、
請求項１または請求項２に記載の空気調和装置。
【請求項４】
前記制御部は、前記高温風の要求を受けた場合に、前記第２冷媒経路の暖房運転でサーモオフさせる条件である設定温度と室内温度の差を０にするかまたは小さくするようにサーモオフ条件を変更する、
請求項３に記載の空気調和装置。
【請求項５】
前記制御部は、前記高温風の要求を受けた場合に、前記圧縮機の回転数を上げて、前記第１利用側熱交換器に流れる冷媒の流量を増やす制御を行う、
請求項１から４のいずれか一項に記載の空気調和装置。
【請求項６】
前記制御部に制御され、前記熱源側熱交換器を通過する気流を発生させる熱源側ファン（３９）をさらに備え、
前記制御部は、前記高温風の要求を受けた場合に、前記熱源側ファンの回転数を上げる、
請求項１から５のいずれか一項に記載の空気調和装置。
【請求項７】
前記制御部に制御され、前記第１利用側熱交換器を通過して温風として吹出される気流を発生させる第１利用側ファン（１５１）をさらに備え、
前記制御部は、前記高温風の要求を受けた場合に、前記第１利用側ファンの風量を所定値以下にする制御を行う、
請求項１から６のいずれか一項に記載の空気調和装置。
【請求項８】
前記制御部に前記高温風の要求を送信する場合に用いられる高温風要求操作ボタンを有するリモートコントローラ（１１１〜１１４）をさらに備え、
前記制御部は、前記リモートコントローラから前記高温風の要求を受信可能に構成されている、
請求項１から７のいずれか一項に記載の空気調和装置。
【請求項９】
前記制御部は、前記高温風の要求を受けた場合に、前記第１利用側熱交換器からの温風が吹き出される空調対象室の設定温度を最大値に変更する制御を行う、
請求項１から８のいずれか一項に記載の空気調和装置。
【請求項１０】
前記制御部は、前記高温風の要求を受けた場合に、前記第１利用側熱交換器を流れる冷媒の温度が上がるように前記第１膨張弁の弁開度を補正する制御を行う、
請求項１から９のいずれか一項に記載の空気調和装置。
【請求項１１】
前記冷媒回路は、前記圧縮機、第２利用側熱交換器（１２２）、前記制御部に制御される第２膨張弁（１３２）、前記熱源側熱交換器が順に接続される少なくとも１つの第２冷媒経路をさらに有し、
前記制御部は、前記高温風の要求を受けた場合に、前記高温風の要求の無かった前記第２冷媒経路を用いた暖房運転がサーモオフしている場合に前記第２利用側熱交換器に冷媒を溜めるように前記第２膨張弁を制御する、
請求項１または請求項２に記載の空気調和装置。
【請求項１２】
前記制御部は、前記第２冷媒経路を用いた暖房運転がサーモオフしている場合に、前記圧縮機に吸入される冷媒の温度を目標温度に近づけるようにまたは前記圧縮機から吐出される冷媒の温度を目標温度に近づけるように前記第２膨張弁の弁開度を制御する、
請求項１１に記載の空気調和装置。
【請求項１３】
前記第２利用側熱交換器の冷媒出口と冷媒入口の間に配置された中間温度センサをさらに備え、
前記制御部は、前記第２冷媒経路を用いた暖房運転がサーモオンしている場合に前記中間温度センサにより冷媒が過冷却状態になったことが検知されると保護制御に移行するが、サーモオフしている場合には保護制御に移行しないように構成されている、
請求項１２に記載の空気調和装置。
【手続補正２】
【補正対象書類名】明細書
【補正対象項目名】全文
【補正方法】変更
【補正の内容】
【発明の詳細な説明】
【技術分野】
【０００１】
本発明は、空気調和装置、特に暖房機能を有する空気調和装置に関する。
【背景技術】
【０００２】
従来から、空気調和装置において暖房運転が行われている状況で、寒い室外から室内に入ったときにできるだけ温度の高い温風で暖まりたいという場合がある。例えば、特許文献１（実開平４−４６４５号公報）には、「高温送風モード」に設定され、つまり温度の高い温風を一時的に吹き出すよう要求があったときに、圧縮機の運転周波数を最大にして、室内側送風機の回転数を「弱」とすることにより、利用者に冷風感を与えないようにする技術が開示されている。
【発明の概要】
【発明が解決しようとする課題】
【０００３】
しかしながら、特許文献１に記載されているように、圧縮機の運転周波数を最大にして、室内側送風機の回転数を低くしただけでは、利用者に送風する温風として十分に温度を上昇させられないことがある。
【０００４】
本発明の課題は、吹出される温風の温度を一時的に上昇させる高温風の要求を受けたときに温風の温度を十分に上げることのできる空気調和装置を提供することである。
【課題を解決するための手段】
【０００５】
本発明の第１観点に係る空気調和装置は、圧縮機、第１利用側熱交換器、第１膨張弁、熱源側熱交換器が順に接続される第１冷媒経路を有する冷媒回路と、圧縮機及び第１膨張弁の制御を行う制御部と、を備え、制御部は、第１利用側熱交換器を通過して吹出される温風の温度を一時的に上昇させる高温風の要求を受けた場合に、第１利用側熱交換器を流れる冷媒の温度が上がるように第１膨張弁の制御を変更する。
【０００６】
第１観点に係る空気調和装置によれば、第１利用側熱交換器を通過して吹出される温風の温度を一時的に上昇させる高温風の要求を受けた場合に、第１利用側熱交換器を流れる冷媒の温度が上がるように第１膨張弁の制御を変更するので、第１利用側熱交換器で熱交換されて吹出される温風に対して、第１膨張弁の制御を変更によって温度が上がった冷媒から、より多くの熱量が与えられる。
【０００７】
本発明の第２観点に係る空気調和装置は、第１観点に係る空気調和装置であって、制御部は、高温風の要求を受けた場合に、目標過冷却度を下げて第１利用側熱交換器においてガス冷媒が占有する過熱領域を増やす制御を行う、ものである。
【０００８】
第２観点に係る空気調和装置によれば、高温風の要求を受けた場合に目標過冷却度を下げると第１膨張弁の弁開度が増加して第１利用側熱交換器においてガス冷媒が占有する過熱領域が増えるので、第１利用側熱交換器において高温のガス冷媒の割合が増える。
【０００９】
本発明の第３観点に係る空気調和装置は、第１観点または第２観点に係る空気調和装置であって、冷媒回路は、圧縮機、第２利用側熱交換器、制御部に制御される第２膨張弁、熱源側熱交換器が順に接続される少なくとも１つの第２冷媒経路をさらに有し、制御部は、高温風の要求を受けた場合に、高温風の要求の無かった第２冷媒経路を用いた暖房運転がサーモオフし易くなるように第２冷媒経路の暖房運転のサーモオフ条件を変更する、ものである。
【００１０】
第３観点に係る空気調和装置によれば、制御部により高温風の要求の無かった第２冷媒経路を用いた暖房運転がサーモオフし易くなるようにサーモオフ条件が変更されると、第２冷媒経路を用いた暖房運転がサーモオフする期間が増えて第２冷媒経路に液冷媒が溜まり易くなる。
【００１１】
本発明の第４観点に係る空気調和装置は、第３観点に係る空気調和装置であって、制御部は、高温風の要求を受けた場合に、第２冷媒経路の暖房運転でサーモオフさせる条件である設定温度と室内温度の差を０にするかまたは小さくするようにサーモオフ条件を変更する、ものである。
【００１２】
本発明の第５観点に係る空気調和装置は、第１観点から第４観点のいずれかに係る空気調和装置であって、制御部は、高温風の要求を受けた場合に、圧縮機の回転数を上げて、第１利用側熱交換器に流れる冷媒の流量を増やす制御を行う、ものである。
【００１３】
第５観点に係る空気調和装置によれば、高温風の要求を受けた場合に、第１利用側熱交換器に流れる冷媒の流量が圧縮機の回転数が上がることによって増えるので、第１膨張弁の制御が変更されて第１利用側熱交換器を流れる冷媒の温度が上がることともあいまって、より多くの熱量を冷媒から第１利用側熱交換器を通過する空気に与えることができるようになる。
【００１４】
本発明の第６観点に係る空気調和装置は、第1観点から第５観点のいずれかに係る空気調和装置であって、制御部に制御され、熱源側熱交換器を通過する気流を発生させる熱源側ファンをさらに備え、制御部は、高温風の要求を受けた場合に、熱源側ファンの回転数を上げる、ものである。
【００１５】
第６観点に係る空気調和装置によれば、熱源側ファンの回転数を上げると熱源側熱交換器での熱交換が促進されて蒸発能力が上がり、その結果、第１利用側熱交換器での凝縮能力が上がって第１利用側熱交換器を通過して吹き出される温風の温度を上げることができる。
【００１６】
本発明の第７観点に係る空気調和装置は、第１観点から第６観点のいずれかに係る空気調和装置であって、制御部に制御され、第１利用側熱交換器を通過して温風として吹出される気流を発生させる第１利用側ファンをさらに備え、制御部は、高温風の要求を受けた場合に、第１利用側ファンの風量を所定値以下にする制御を行う、ものである。
【００１７】
第７観点に係る空気調和装置によれば、高温風の要求を受けた場合に第１利用側ファンの風量を所定値以下にすることで、風量が所定値を超える場合に比べて第１利用側熱交換器を単位時間当たりに通過する空気の量が減少して単位体積の空気が受け取る熱量が増加する。
【００１８】
本発明の第８観点に係る空気調和装置は、第１観点から第７観点のいずれかに係る空気調和装置であって、制御部に高温風の要求を送信する場合に用いられる高温風要求操作ボタンを有するリモートコントローラをさらに備え、制御部は、リモートコントローラから高温風の要求を受信可能に構成されている、ものである。
【００１９】
第８観点に係る空気調和装置によれば、リモートコントローラの高温風操作ボタンが操作されるとリモートコントローラが高温風の要求を送信して制御部が高温風の要求を受信できる。
【００２０】
本発明の第９観点に係る空気調和装置は、第１観点から第８観点のいずれかに係る空気調和装置であって、制御部は、高温風の要求を受けた場合に、第１利用側熱交換器からの温風が吹き出される空調対象室の設定温度を最大値に変更する制御を行う、ものである。
【００２１】
第９観点に係る空気調和装置によれば、第１利用側熱交換器からの温風が吹き出される空調対象室の設定温度が制御部により最大値に変更されることから、高温風の要求を受けて温風の温度を上げたことによって空調対象空間の室内温度が上がり易くなっているけれども、設定温度を変更しない場合に比べて第１冷媒経路を用いた暖房運転をサーモオフし難くすることができる。
【００２２】
本発明の第１０観点に係る空気調和装置は、第１観点から第９観点のいずれかに係る空気調和装置であって、制御部は、高温風の要求を受けた場合に、第１利用側熱交換器を流れる冷媒の温度が上がるように第１膨張弁の弁開度を補正する制御を行う、ものである。
【００２３】
第１０観点に係る空気調和装置によれば、高温風の要求を受けた場合に、第１利用側熱交換器を流れる冷媒の温度が上がるように第１膨張弁の弁開度を補正することから温風に対して弁開度の補正によって温度が上がった、第１利用側熱交換器の冷媒から多くの熱量が与えられる。
【００２４】
本発明の第１１観点に係る空気調和装置は、第１観点から第２観点のいずれかに係る空気調和装置であって、冷媒回路は、圧縮機、第２利用側熱交換器、制御部に制御される第２膨張弁、熱源側熱交換器が順に接続される少なくとも１つの第２冷媒経路をさらに有し、制御部は、高温風の要求を受けた場合に、高温風の要求の無かった第２冷媒経路を用いた暖房運転がサーモオフしている場合に第２利用側熱交換器に冷媒を溜めるように第２膨張弁を制御する、ものである。
【００２５】
第１１観点に係る空気調和装置によれば、制御部は、高温風の要求の無かった第２冷媒経路を用いた暖房運転がサーモオフしている場合に第２利用側熱交換器に冷媒を溜めるように第２膨張弁を制御することから、第１利用側熱交換器を流れる冷媒の温度を上げるために生じた余剰冷媒を適切に分配できる。
【００２６】
本発明の第１２観点に係る空気調和装置は、第１１観点に係る空気調和装置であって、制御部は、第２冷媒経路を用いた暖房運転がサーモオフしている場合に、圧縮機に吸入される冷媒の温度を目標温度に近づけるようにまたは圧縮機から吐出される冷媒の温度を目標温度に近づけるように第２膨張弁の弁開度を制御する、ものである。
【００２７】
第１２観点に係る空気調和装置によれば、制御部は、第２冷媒経路を用いた暖房運転がサーモオフしている場合に圧縮機に吸入される冷媒の温度または圧縮機から吐出される冷媒の温度を目標温度に近づけるように第２膨張弁の弁開度を制御することから、第２利用側熱交換器に冷媒を溜める第２膨張弁の制御を容易に実現することができる。
【００２８】
本発明の第１３観点に係る空気調和装置は、第１２観点に係る空気調和装置であって、第２利用側熱交換器の冷媒出口と冷媒入口の間に配置された中間温度センサをさらに備え、制御部は、第２冷媒経路を用いた暖房運転がサーモオンしている場合に中間温度センサにより冷媒が過冷却状態になったことが検知されると保護制御に移行するが、サーモオフしている場合には保護制御に移行しないように構成されている、ものである。
【００２９】
第１３観点に係る空気調和装置によれば、制御部は、第２冷媒経路を用いた暖房運転がサーモオフしている場合には中間温度センサにより冷媒が過冷却状態になったことが検知されても保護制御に移行しないことから、中間温度センサが過冷却状態を検知しても液冷媒を蓄え続けながら暖房運転を続けられる。
【発明の効果】
【００３０】
第１観点に係る空気調和装置では、高温風の要求を受けた第１利用側熱交換器から吹き出される温風の温度を十分に上げることができる。
【００３１】
第２観点、第５観点、第６観点、第７観点または第１０観点に係る空気調和装置では、第１利用側熱交換器を通過する空気が受け取る熱量を増やして温風の温度を十分に上げることができる。
【００３２】
第３観点または第４観点に係る空気調和装置では、第１冷媒経路の第１利用側熱交換器で過冷却領域が減って過熱領域が増えても空気調和装置の冷媒を適切に配分でき、効率の良い運転状態を維持することができる。
【００３３】
第８観点に係る空気調和装置では、リモートコントローラを使ってユーザが必要に応じて高温風の要求を行うことができる。
【００３４】
第９観点に係る空気調和装置では、高温風の要求があったことで第１利用側熱交換器からの温風が止まる回数が多くなるのを抑制して快適性を確保することができる。
【００３５】
第１１観点または第１２観点に係る空気調和装置では、圧縮機に吸入される冷媒の温度が効率の良い温度になるように制御し易くなる。
【００３６】
第１３観点に係る空気調和装置では、暖房運転がサーモオフしている第２利用側熱交換器に多くの液冷媒を溜めることができて第１利用側熱交換器のガス冷媒の占める過熱領域を拡大し易くなる。
【図面の簡単な説明】
【００３７】
【図１】本発明の一実施形態に係る空気調和装置を示す冷媒回路図。
【図２】空気調和装置の制御系統を示すブロック図。
【図３Ａ】高温風制御前の第１利用側熱交換器の状態を説明するための模式図。
【図３Ｂ】高温風制御後の第１利用側熱交換器の状態を説明するための模式図。
【図３Ｃ】高温風制御後の運転部屋の第２利用側熱交換器の状態を説明するための模式図。
【図３Ｄ】高温風制御後の停止部屋の第２利用側熱交換器の状態を説明するための模式図。
【図４】他室の室内機の制御を説明するためのフローチャート。
【図５】高圧相当飽和温度とファンタップの設定の関係の一例を示す説明図。
【発明を実施するための形態】
【００３８】
（１）構成
本発明の一実施形態に係る空気調和装置の冷媒回路を、図１に示す。空気調和装置１は、多室型空気調和装置であって、１つの熱源側ユニットである室外機１９に対して、複数の利用側ユニットである室内機１１，１２，１３，１４が並列に接続される構成である。室外機１９は、圧縮機３６、アキュムレータ３７、四路切換弁３８、熱源側熱交換器である室外熱交換器３５、膨張弁３１，３２，３３，３４、及び熱源側ファンである室外ファン３９を収容している。室内機１１，１２，１３，１４は、利用側熱交換器である室内熱交換器２１，２２，２３，２４及び利用側ファンである室内ファン５１，５２，５３，５４を収容している。
【００３９】
圧縮機３６は、後述する制御部４０によって回転数制御ができるように構成されている。ここで、圧縮機３６は、冷凍サイクルの低圧の冷媒を高圧になるまで圧縮する機器である。圧縮機３６は、インバータにより周波数制御が可能な圧縮機用モータ３６ａによって回転駆動される容量式圧縮機である。室外ファン３９は、制御部４０によって回転数制御が可能な室外ファン用モータ３９ａにより駆動される。室外ファン３９は、例えばプロペラファンであり、回転数を変えることによって風量を変更できるように構成されている。膨張弁３１〜３４は、制御部４０によってそれぞれの弁開度が個別に変更されるように制御される。室内ファン５１，５２，５３，５４は、制御部４０によって回転数制御が可能な室内ファン用モータ５１ａ，５２ａ，５３ａ，５４ａによりそれぞれが駆動される。室内ファン５１〜５４は、例えば遠心ファンまたは多翼ファンであり、回転数を変えることによって風量を変更できるように構成されている。
【００４０】
空気調和装置１の冷媒回路２は、圧縮機３６、アキュムレータ３７、四路切換弁３８、室外熱交換器３５、膨張弁３１〜３４、室内熱交換器２１〜２４が接続されて構成されている。
【００４１】
冷媒経路ｒ１を流れる冷媒は、圧縮機３６と室内熱交換器２１と膨張弁３１と室外熱交換器３５と四路切換弁３８とアキュムレータ３７を流れる。冷媒経路ｒ２を流れる冷媒は、圧縮機３６と室内熱交換器２２と膨張弁３２と室外熱交換器３５と四路切換弁３８とアキュムレータ３７を流れる。冷媒経路ｒ３を流れる冷媒は、圧縮機３６と室内熱交換器２３と膨張弁３３と室外熱交換器３５と四路切換弁３８とアキュムレータ３７を流れる。冷媒経路ｒ４を流れる冷媒は、圧縮機３６と室内熱交換器２４と膨張弁３４と室外熱交換器３５と四路切換弁３８とアキュムレータ３７を流れる。
【００４２】
冷媒経路ｒ１〜ｒ４では、それぞれに蒸気圧縮式の冷凍サイクルが実施される。この冷媒回路２を循環する冷媒としては、例えば、地球温暖化係数が小さい単一冷媒のＲ３２（組成は、ＨＦＣ−３２が１００％）が用いられている。
【００４３】
また、四路切換弁３８と室内熱交換器２１〜２４との間は、ガス冷媒配管１７により接続され、膨張弁３１〜３４と室内熱交換器２１〜２４との間は、液冷媒配管１８により接続される。
【００４４】
また、空気調和装置１は、サーミスタからなる多くの温度センサを備えている。室外温度センサ９７は、室外機１９が設置されている室外空間の外気温度を検知する。吐出管温度センサ９０は、圧縮機３６の吐出配管に取り付けられ、圧縮機３６から吐出される冷媒の吐出温度Ｔｏを検出する。暖房運転時に蒸発温度を検知する室外熱交温度センサ９５は、熱源側熱交換器である室外熱交換器３５に取り付けられ、暖房運転時の蒸発温度Ｔｅを検出する。室内熱交温度センサ９１，９２，９３，９４は、室内熱交換器２１，２２，２３，２４に取り付けられ、暖房運転時の凝縮温度Ｔｃ１〜Ｔｃ４を検出する。液管温度センサ８１，８２，８３，８４は、室外熱交換器３５から分岐して室内熱交換器２１〜２４へと延びる液冷媒配管１８の各部１８ａ，１８ｂ，１８ｃ，１８ｄに取り付けられ、液管温度Ｔｌ１〜Ｔｌ４を検出する。室内温度センサ６１〜６４は、室内機１１〜１４にそれぞれ取り込まれる室内空気の温度である室内温度Ｔｒ１〜Ｔｒ４を検知するように、それぞれが対応する室内機１１〜１４内に配置されている。ガス管温度センサ７１〜７４は、四路切換弁３８から分岐して室内熱交換器２１〜２４へと延びるガス冷媒配管１７の各部１７ａ，１７ｂ，１７ｃ，１７ｄに取り付けられる。これら温度センサの検出値に基づき、制御部４０が空気調和装置１の動作を制御する。
【００４５】
（２）動作
（２−１）冷房時の冷媒の流れ
次に空気調和装置１の動作の概略を説明する。冷房運転時は、四路切換弁３８が図１において実線で示す状態に保持される。圧縮機３６から吐出された高温高圧のガス冷媒は、四路切換弁３８を介して室外熱交換器３５に流入し、室外ファン３９により供給される外気と室外熱交換器３５で熱交換して凝縮・液化する。液化した冷媒は、膨張弁３１〜３４で減圧され、室内ファン５１〜５４により供給される室内空気と室内熱交換器２１〜２４でさらに熱交換して蒸発する。冷媒の蒸発によって冷却された室内空気は、室内ファン５１〜５４によって室内空間へと吹き出され、室内空間を冷房する。また、室内熱交換器２１〜２４で蒸発して気化した冷媒は、ガス冷媒配管１７を通って室外機１９に戻り、四路切換弁３８及びアキュムレータ３７を経て圧縮機３６に吸い込まれる。
【００４６】
（２−２）暖房時の冷媒の流れ
暖房運転時は、四路切換弁３８が図１において破線で示す状態に保持される。圧縮機３６から吐出された高温高圧のガス冷媒は、四路切換弁３８を介して各室内機１１〜１４の室内熱交換器２１〜２４に流入し、室内ファン５１〜５４により供給される室内空気と室内熱交換器２１〜２４で熱交換して凝縮・液化する。冷媒の凝縮によって加熱された室内空気は、室内ファン５１〜５４によって室内空間へと吹き出され、室内空間を暖房する。室内熱交換器２１〜２４において液化した冷媒は、液冷媒配管１８を通って室外機１９に戻る。室外機１９に戻った冷媒は、膨張弁３１〜３４で減圧され、室外ファン３９により供給される室外空気と室外熱交換器３５でさらに熱交換して蒸発する。室外熱交換器３５で蒸発して気化した冷媒は、四路切換弁３８及びアキュムレータ３７を経て圧縮機３６に吸い込まれる。
【００４７】
上記のように、暖房運転においては、室内熱交換器２１〜２４（利用側熱交換器）が冷媒の放熱器として機能して室内を暖め、室外熱交換器３５（熱源側熱交換器）が冷媒の蒸発器として機能する。
【００４８】
（３）制御
（３−１）概要
図２には、空気調和装置１の制御系統の概要が示されている。制御部４０は、室内制御装置４１〜４４と室外制御装置４５とを含んでいる。具体的には、室外機１９の電装品ボックス（図示せず）の中の制御基板（室外制御装置４５に対応）および室内機１１〜１４の電装品ボックス（図示せず）の中の制御基板（室内制御装置４１〜４４に対応）が接続されて制御部４０が構成されている。室内制御装置４１〜４４は、ＣＰＵ４１ａ〜４４ａ及びメモリ４１ｂ〜４４ｂを含んで構成されている。また、室外制御装置４５は、ＣＰＵ４５ａ、メモリ４５ｂ及びタイマ４５ｃを含んで構成されている。メモリ４１ｂ〜４５ｂには、室内機１１〜１４及び室外機１９を制御するためのプログラム及びデータが記述されている。ＣＰＵ４１ａ〜４５ａは、メモリ４１ｂ〜４５ｂに記述されているプログラムを実行することにより、各機器を制御するための信号を生成する。さらに、室内機１１〜１４には、ユーザが操作入力するリモートコントローラ１１１〜１１４の指令を受け付ける受信部、空調空気の吹出方向を変えるモータのドライバ、及び運転モードなどを表示する表示部などが設けられている。
【００４９】
図２に示すように、制御部４０には、上述の各温度センサの検出値が入力され、これらの値に基づいて冷房運転や暖房運転の制御が行われる。
【００５０】
（３−２）冷房運転制御
制御部４０は、冷房運転中の圧縮機３６の周波数や膨張弁３１〜３４の弁開度を制御する。冷房運転における制御については、従来通りであるため、ここでは説明を省略する。
【００５１】
（３−３）暖房運転制御
制御部４０は、停止状態から圧縮機３６を起動して暖房運転を始めるときの起動制御、起動後の冷媒状態が安定した通常暖房運転状態における膨張弁３１〜３４の弁開度調整のための目標吐出管温度制御及びサブククール制御、通常暖房運転状態における圧縮機３６の容量制御、高温風要求があった場合の制御、室外熱交換器３５に着いた霜を溶かすための除霜制御などを行う。ここでは、本発明と関連する通常暖房運転時の目標吐出管温度制御、サブクール制御及び容量制御並びに高温風要求があった場合の高温風制御について説明する。
【００５２】
（３−３−１）通常暖房運転の目標吐出管温度制御
目標吐出管温度制御においては、吐出管温度を用いて膨張弁３１〜３４の弁開度を制御することにより、間接的に圧縮機３６の吸入側の過熱度制御を行うとともに、圧縮機３６の吐出温度の管理及び圧縮機３６が吸入する冷媒が湿り状態になっても圧縮機３６の運転が管理できるように構成されている。圧縮機３６に吸入される冷媒が湿り状態になっても、圧縮機３６が損傷しない範囲で吐出管温度制御が行われる。
【００５３】
通常暖房運転状態においてける目標吐出管温度制御では、制御部４０は、吐出管温度センサ９０が検知した吐出温度Ｔｏが目標吐出管温度Ｔｍに近づくように、膨張弁３１〜３４の弁開度を調整する。正確には、吐出管温度センサ９０が検出する温度は圧縮機３６の吐出管の温度であって吐出される冷媒の温度ではない。そのため吐出管温度センサ９０が検出する温度を補正することが好ましい場合があるが、ここでは、吐出管温度センサ９０が検出する温度が吐出される冷媒の温度に等しいものとして説明を行う。
【００５４】
制御部４０は、目標吐出管温度Ｔｍは、室外熱交温度センサ９５を用いて検知される蒸発温度Ｔｅと、室内熱交温度センサ９１〜９４を用いて検知される凝縮温度Ｔｃとに基づいて設定される。目標吐出管温度Ｔｍは、通常の運転状態であれば、後述する吐出過熱度が１０℃以上確保される値となる。
【００５５】
この目標吐出管温度制御により、冷凍サイクルの効率の高いポイント（圧力および温度）において冷媒が圧縮機３６に吸入され圧縮機３６から吐出されるようになる。なお、膨張弁３１〜３４全体としての弁開度が目標吐出管温度制御によって調整される一方、各室内機１１〜１４において必要な暖房能力に応じて各膨張弁３１〜３４の弁開度が調整される。
【００５６】
（３−３−２）通常暖房運転時の圧縮機の容量制御
通常暖房運転状態における圧縮機３６の容量制御は、各室内機１１〜１４からの要求に基づいて圧縮機３６の回転数を上下させる制御である。具体的には、室内機１１〜１４の室内温度センサ６１〜６４が検知する室内温度Ｔｒ１〜Ｔｒ４と、リモートコントローラ１１１〜１１４で設定された設定温度Ｔｓ１〜Ｔｓ４との差に基づき、制御部４０が、必要な圧縮機３６の出力を決めて、圧縮機３６の回転数を変更する。
【００５７】
（３−３−３）通常暖房運転時のサブクール制御
通常暖房運転状態におけるサブクール制御は、目標吐出管温度制御により決定される各膨張弁３１〜３４の弁開度を、暖房運転時の冷媒の分配が適正に行われるように補正する制御である。制御部４０は、運転部屋の液管温度センサ８１〜８４が検出する液管温度Ｔｌ１〜Ｔｌ４と室内熱交温度センサ９１〜９４が検出する凝縮温度Ｔｃ１〜Ｔｃ４とを使って各運転部屋の過冷却度ＳＣ１〜ＳＣ４を算出することができる。例えば、（ＳＣ１＝Ｔｃ１−Ｔｌ１）などのように、各凝縮温度Ｔｃ１〜Ｔｃ４から各液管温度Ｔｌ１〜Ｔｌ４を差し引くことで、各運転部屋の過冷却度ＳＣ１〜ＳＣ４を求めることができる。この実施形態では、室内機１１〜１４が異なる第１部屋から第４部屋に配置されているとして説明する。ここで、運転部屋とは、第１部屋から第４部屋のうち室内機１１〜１４がサーモオンしている部屋をいう。それに対して、第１部屋から第４部屋のうち室内機１１〜１４がサーモオフしている部屋は停止部屋と呼ぶ。
【００５８】
上述の過冷却度ＳＣ１〜ＳＣ４このような計算と並行して、制御部４０は、例えば、圧縮機３６の回転数ｆｃ、吐出温度Ｔｏと目標吐出管温度Ｔｍとの温度差などを用いて目標過冷却度ＳＣｍを算出する。例えば、第１部屋の室内機１１がサーモオンしている場合には、目標過冷却度ＳＣｍと、運転部屋である第１部屋の室内機１１の過冷却度ＳＣ１とを比較して膨張弁３１の弁開度を補正する。
【００５９】
もし、第１部屋の過冷却度ＳＣ１が目標過冷却度ＳＣｍより小さければ（ＳＣ１＜ＳＣｍ）、第１部屋の膨張弁３１の弁開度を大きくする。
【００６０】
もし、第１部屋の過冷却度ＳＣ１が目標過冷却度ＳＣｍより大きければ（ＳＣ１＞ＳＣｍ）、第１部屋の膨張弁３１の弁開度を小さくする。
【００６１】
もし、第１部屋の過冷却度ＳＣ１が目標過冷却度ＳＣｍと等しければ（ＳＣ１＝ＳＣｍ）、第１部屋の膨張弁３１の弁開度を現状のまま維持する。
【００６２】
なお、弁開度を維持する場合を広げるために、過冷却度ＳＣ１と目標過冷却度ＳＣｍの差ΔＳＣが予め定められた範囲内にある場合には弁開度を変化させないように制御してもよい。
【００６３】
（４）高温風制御
高温風制御は、例えば、リモートコントローラ１１１〜１１４に設けられている、高温風を要求する高温風要求操作ボタンをユーザが操作することにより開始される。ここで、高温風制御は、高温風の要求を受けた場合に、高温風要求を受けた室内機が設置されている部屋の第１利用側熱交換器を通過して吹出される温風の温度を一時的に上昇させる制御である。なお、以下の説明では、高温風の要求のあった室内機が設置されている部屋を高温風部屋、高温風の要求の無かった室内機が設置されている部屋を他室と呼ぶ場合もある。
【００６４】
例えば、ユーザがリモートコントローラ１１４の高温風操作ボタンを操作して高温風の要求を送信した場合は、第４部屋が高温風部屋であり、第４部屋の室内熱交換器２４が第１利用側熱交換器に該当する。なお、リモートコントローラ１１１〜１１４のうちの複数で高温風操作ボタンが操作された場合には、複数の部屋が高温風部屋になり、複数の高温風部屋の室内熱交換器が第１利用側熱交換器に該当するように構成することもできる。また、要求があっても高温風制御を行うことが適切ではない場合があるので、制御部４０は、高温風要求操作ボタンが押されることを１つの開始条件として、他の開始条件も満足されたときに高温風制御を行うように構成してもよい。また、リモートコントローラ１１１〜１１４の高温風要求操作ボタンを操作する方法以外の方法で高温風制御が開始されるように構成してもよい。ただし、ここでは説明を簡単にするために、ユーザがリモートコントローラ１１１〜１１４の高温風要求操作ボタンを操作したときに高温風制御が開始されるものとする。以下の説明では、高温風要求操作ボタンが押された部屋の室内熱交換器を第１利用側熱交換器と呼ぶ。また、第１利用側熱交換器が接続されている経路を第１冷媒経路と呼び、第１冷媒経路に在る膨張弁を第１膨張弁と呼ぶ。上述のように、リモートコントローラ１１４の高温風操作ボタンが操作された場合には、冷媒経路ｒ４が第１冷媒経路であり、膨張弁３４が第１膨張弁である。
【００６５】
制御部４０は、例えば、高温風制御に入ってからの経過時間をタイマ４５ｃによりカウントし、予め設定されている時間（例えば３０分）に達したことを条件として高温風制御を解除する。また、制御部４０は、高温風制御を続けることが適切でないと判断した場合には、高温風制御を解除する。例えば、高温風部屋の室内機１４がリモートコントローラ１１４からの指示で電源をオフされた場合などには、高温風の要求を出した室内機が無くなってしまうので、そのような場合にはタイマ４５ｃのカウントが設定された時間に達していなくても高温風制御を解除する。
【００６６】
（４−１）高温風制御のための能力引き上げ
制御部４０は、高温風要求を受けた場合に、第１利用側熱交換器に流れる冷媒の流量を増やす制御を行う。具体的には、制御部４０は、高温風要求を受けた場合に、圧縮機３６の回転数を上げる。制御部４０は、例えば、圧縮機３６の回転数に補正値を加えて圧縮機３６の回転数を高温風要求前に比べて大きくする。また、高温風要求を受けた場合に圧縮機３６の回転数を上げるために、制御部４０は、例えば、圧縮機３６の回転数の上限値を引き上げるように構成されてもよい。
【００６７】
制御部４０は、高温風要求を受けた場合に、熱源側熱交換器に流れる外気の流量を増やす制御を行う。具体的には、制御部４０は、温風要求を受けた場合に、室外ファン３９の回転数を上げる。制御部４０は、例えば、高温風要求を受けた場合に、室外ファン３９の回転数を最大値に設定する。
【００６８】
（４−２）熱交換器通過空気の単位体積当たりの熱量の確保
制御部４０は、高温風要求を受けた第１利用側熱交換器を通過して温風として吹き出される風量を制限する制御を行う。ここでは、高温風部屋の第１利用側熱交換器には第１利用側ファンで送風する。具体的には、例えば、リモートコントローラ１１２の高温風要求操作ボタンが操作された場合には、制御部４０は、第１利用側ファンとなった室内ファン５２のファンタップを予め設定されたタップ以下の風量のタップに制限する。室内ファン５２について、例えば、６段階の切換えが可能な場合に、風量が小さい方から３番目以下に制限するなどである。風量があまり小さくなり過ぎても高温風を受けている実感をユーザが得難い場合もあるので、温風の温度が下がり過ぎない適当な風量に設定される。また、風量を下げる場合には、制御部４０は、徐々に下げるように制御する。
【００６９】
（４−３）膨張弁の弁開度の変更
制御部４０は、高温風の要求を受けた場合に、高温風部屋の第１利用側熱交換器を流れる冷媒の温度が上がるように第１膨張弁の制御を変更する。言い換えると、制御部４０は、第１利用側熱交換器の平均温度を上げるように第１膨張弁の弁開度を変更する。具体的には、高温風制御前は、図３Ａに示されているような第１利用側熱交換器１２１に流れ込んだガス冷媒Ｒｆ１によって形成される過熱領域を、高温風制御後は、図３Ｂに示されているように大きくする。それに伴って、高温風制御前は、図３Ａに示されているよう大きかった過冷却領域が、高温風制御後は、図３Ｂに示されている過冷却領域のように小さくなる。その結果、例えば、高温風制御前に、第１利用側熱交換器１２１が２０℃の室内温度を熱交換によって５０℃まで上昇させていたのに比べて、高温風制御後は、第１利用側熱交換器１２１が２０℃の室内温度を熱交換によって６０℃まで上昇させることができるようになる。それに対して、運転部屋の高温風の要求の無かった第２利用ユニット２０２の第２利用側熱交換器１２２は、図３Ｃに示されているように、高温風制御後は、過冷却領域が増えて過熱領域が減る傾向にあり、第２利用側熱交換器１２２から吹き出される温風の温度は下がり気味になる。また、停止部屋の高温風の要求の無かった第２利用ユニット２０２の第２利用側熱交換器１２２は、図３Ｄに示されているように、第２利用側ファンが停止して、高温風制御後は、過冷却領域がさらに増えて過熱領域がさらに減る。
【００７０】
なお、図３Ａ乃至図３Ｄにおいて、過冷却領域から流出する冷媒は液冷媒Ｒｆ２である。また、過熱領域の冷媒の平均温度が７０℃、気液二相領域の冷媒の温度が５０℃、そして、過冷却領域の冷媒の温度が３０℃である場合が示されているが、これは説明のためのモデルであって実際の場合が必ずしもこのモデルと一致するとは限らない。また、図３Ａ、図３Ｂ及び図３Ｃにおいて、第１利用側熱交換器１２１から出た液冷媒Ｒｆ２を膨張させるのが第１膨張弁１３１であり、第１利用側熱交換器１２１に送風するのが第１利用側ファン１５１であり、第２利用側熱交換器１２２から出た液冷媒Ｒｆ２を膨張させるのが第２膨張弁１３２であり、第２利用側熱交換器１２２に送風するのが第２利用側ファン１５２である。
【００７１】
（４−３−１）サブクール制御の変更
（４−３−１−１）運転部屋の目標過冷却度の変更
制御部４０は、図３Ａ及び図３Ｂに示されている第１利用側熱交換器１２１を有する第１利用側ユニット２０１が高温風の要求を受けた場合に、第１利用側熱交換器１２１を有する第１利用側ユニット２０１に対して、目標過冷却度ＳＣｍを下げて、第１利用側熱交換器１２１においてガス冷媒が占有する過熱領域を増やす制御を行う。例えば、制御部４０は、通常暖房運転時と同様に目標過冷却度ＳＣｍを算出した後に、予め設定されている所定値を差し引いて高温風制御用の目標過冷却度ＳＣｍＨを算出する。所定値は、定数であってもよく、また予め定められている計算式に従って計算される値であってもよく、メモリ４１ｂ〜４５ｂ内のテーブルに記載されている値であってもよい。例えば、通常暖房運転時の目標過冷却度ＳＣｍが１２度であるとすると、図１に示されているように４台の室内機１１〜１４が接続され、そのうちの１台から高温風の要求があった場合には、その高温風の要求があった高温風部屋の室内機の変更後の目標過冷却度ＳＣｍＨは５度に変更される。高温風の要求があった高温風部屋が２以上である場合は、他室への影響を考慮するとともに全体的に効率の良い運転をするために、目標過冷却度ＳＣｍＨを大きくしていくことが好ましい。例えば、高温風部屋が２つである場合（２台の室内機から高温風の要求があった場合）は、高温風部屋が１つである場合（１台の室内機のみから高温風の要求があった場合）には５度であるのに対して例えば高温風部屋が２つの場合には目標過冷却度ＳＣｍＨを両部屋とも７〜８度に、高温風部屋が３つの場合には９〜１１度にするなどである。つまり、高温風の要求が複数の室内機からある場合には、要求がある室内機の数が多くなるほど目標過冷却度ＳＣｍＨの下げ幅を小さくするように構成されることが好ましい。
【００７２】
（４−３−１−２）他室の運転部屋の目標過冷却度
制御部４０は、ここでは、高温風の要求が無かった室内機の目標過冷却度ＳＣｍを通常暖房運転の場合のまま維持する制御を行うように構成されている。しかし、さらに高温風部屋に能力を集中させるために、制御部４０は高温風の要求が無かった部屋の目標過冷却度を大きくする制御を行うように構成されてもよい。例えば、室内機１１から高温風の要求があり、室内機１２〜１４からは要求が無かった場合には、高温風制御に入る直前で目標過冷却度ＳＣｍが１２度であったものが、高温風制御に入った後は室内機１１の目標過冷却度ＳＣｍＨを５度、室内機１２〜１４の目標過冷却度ＳＣｍＨを１３度にするなどである。
【００７３】
（４−３−１−３）停止部屋の室内機の制御
停止部屋の室内機に対して、制御部４０は、サブクール制御を行わずに目標吐出管温度制御を行う。この目標吐出管温度制御によって、停止部屋に対応する膨張弁の弁開度が小さくなる方向に変化する。このとき、停止部屋の室内ファンが停止しているが、膨張弁の弁開度が小さくなることによって、停止部屋の室内熱交換器には、高温風の要求があった高温風部屋の第１利用側熱交換器１２１（図３Ｂ参照）で減少した分の液冷媒が溜まることになる。その結果、空気調和装置１の全体としての冷媒の分配が適正化され、効率の良い暖房運転を続けることができる。例えば、第１利用側熱交換器１２１から追い出された冷媒を溜めるリザーバを冷媒回路２に設けてもよいが、上述のように停止部屋の室内熱交換器に余剰冷媒を溜めることでリザーバなどの機器の追加を省くことができる。
【００７４】
室内熱交換器２１〜２４に取り付けられている室内熱交温度センサ９１〜９４は、室内熱交換器２１〜２４の冷媒出口と冷媒入口の間に配置された中間温度センサとして機能する。例えば室内熱交換器２１が高温風要求の無かった第２冷媒経路である冷媒経路ｒ１を用いた暖房運転である場合、制御部４０は、室内機１１がサーモオンしているときには室内熱交温度センサ９１により冷媒が過冷却状態になったことが検知されると保護制御に移行するが、サーモオフしている場合には保護制御に移行しないように構成されている。この場合に室内機１１が設置されている部屋が停止部屋になると、既に説明したように、室内熱交換器２１に液冷媒が溜まり易くなっているので、室内熱交温度センサ９１が液冷媒の温度を検知してしまう可能性が高くなる。このように、室内熱交温度センサ９１が過冷却を検知しても保護制御を行わない構成とすることで、高温風の要求が無く且つサーモオフしている室内機１１に多くの冷媒を溜めることができる。
【００７５】
（４−３−２）高温風の要求のあった室内機のサーモオフの抑制
高温風の要求のあった室内機が設置されている高温風部屋の室内空気には、多くの熱量が供給される。そのため、ユーザが設定されている設定温度を超える場合が頻出する。従って、ユーザが設定した設定温度を目標に暖房運転を管理したのでは、室内機がサーモオンとサーモオフを頻繁に繰り返してしまってユーザの快適性を損ねることになる。このようにサーモオンとサーモオフを繰り返さないように、高温風の吹き出される室内機の設定温度を制御部４０が自動的に最大値に変更する。この変更された設定温度は、高温風制御の終了とともに制御部４０によりユーザの設定に戻される。
【００７６】
（４−３−３）高温風の要求の無かった室内機のサーモオフの促進
ここでは、室内機１３が高温風の要求のあった第１利用側ユニットであり、他の室内機１１，１２，１４は高温風の要求が無かった第２利用側ユニットであると仮定すると、第２冷媒経路である冷媒経路ｒ１，ｒ２、ｒ４を用いた暖房運転がサーモオフし易くなるように、制御部４０は、室内機１１，１２，１４のサーモオフ条件を変更する。例えば、高温風制御に入るまでは、他室の室内機１１，１２，１４が設定温度Ｔｓ１，Ｔｓ２，Ｔｓ４と室内温度Ｔｒ１，Ｔｒ２，Ｔｒ４との差ΔＴｄ１（＝Ｔｒ１−Ｔｓ１），ΔＴｄ２（＝Ｔｒ２−Ｔｓ２），ΔＴｄ４（＝Ｔｒ４−Ｔｓ４）が３度でサーモオフしていたものを、０度つまり設定温度Ｔｓ１，Ｔｓ２，Ｔｓ４と室内温度Ｔｒ１，Ｔｒ２，Ｔｒ４が等しい場合にサーモオフするように、制御部４０がサーモオフ条件を緩める変更を行う。なお、サーモオフ条件の変更は、必ずしも同じである必要はなく、室内機１１は差ΔＴｄ１が０度、室内機１２は差ΔＴｄ２が１度のように異なるものとしてもよい。
【００７７】
（４−３−４）高温風の要求の無かった室内機の風量制御
高温風の要求のあった高温風部屋に設置されている室内機（第１利用側ユニット）の温風の温度が、高温風の要求の無かった他室の室内機（第２利用側ユニット）の風量に影響を受ける。また、高温風制御中に、第２利用側ユニットがサーモオンとサーモオフを繰り返すと、冷凍サイクルの高圧側の冷媒圧力が安定せず、第１利用側ユニットから吹き出される温風の温度がハンチングを起こす。
【００７８】
ここでは、室内機１３が高温風の要求のあった第１利用側ユニットであり、他の室内機１１，１２，１４は他室の第２利用側ユニットであると仮定すると、第２利用側ファンである室内ファン５１，５２，５４の風量が減るまたは無くなるように制御を行う高温風モードに移行する。
【００７９】
具体的には、制御部４０は、高圧飽和温度（室内熱交温度センサ９１〜９４の検出温度）が一定温度（Ｔｐ１℃）以上になっていなければ、室内ファン５１，５２，５４の風量を段階的に低下させる。室内熱交温度センサ９１〜９４として、圧力センサを用い、圧力センサで検出される高圧冷媒圧力を圧力相当飽和温度に換算してもよい。室内熱交温度センサ９１〜９４がサーミスタのような温度センサであると、過冷却度を正しく検出できない場合が発生する可能性がある。このように、高圧冷媒の圧力値を高圧飽和温度に読み替えることで制御の精度の向上が図れる。
【００８０】
他室の室内機１１，１２，１４の制御について、図４のフローチャートに沿って説明する。まず、リモートコントローラ１１３の高温風操作ボタンが操作されて室内機１３から高温風の要求が制御部４０に送信されると、高温風制御が開始される（ステップＳ１）。高温風制御の開始により、制御部４０は、タイマ４５ｃによってカウントを開始する（ステップＳ２）。次に、上述の（４−２）で説明したように、制御部４０は、高温風部屋の室内機１３の室内ファン５３の回転数を徐々に下げる（ステップＳ３）。制御部４０は、例えば、室内ファン５３の回転数を１分間に１００〜２００ｒｐｍの割合で減少させる。
【００８１】
次に。上述の（４−３−３）で説明したように、サーモオフ条件が変更されており、変更前は、設定温度Ｔｓ１，Ｔｓ２，Ｔｓ４よりも３度以上室内温度Ｔｒ１，Ｔｒ２，Ｔｒ４が高くないとサーモオフしないが、サーモオフ条件変更後の設定温度Ｔｓ１，Ｔｓ２，Ｔｓ４と同じか否かでサーモオフするか否かを判断する（ステップＳ４）。例えば、室内温度Ｔｒ４が設定温度Ｔｓ４に達していれば、その室内機１４をサーモオフする（ステップＳ５）。なお、ステップＳ３とステップＳ４，Ｓ５とは並列で行われてもよく、また先にステップＳ４，Ｓ５が行われた後にステップＳ３が行われてもよい。
【００８２】
この時点では、室内機１４がサーモオフしているが、室内機１１，１２がサーモオンしていて室内ファン５１，５２が駆動されている。制御部４０は、高圧相当飽和温度（凝縮温度Ｔｃ（例えば凝縮温度Ｔｃ１））が一定温度Ｔｐ１以上になっているか否かを判断する（ステップＳ５）。高圧相当飽和温度が一定温度Ｔｐ１未満であれば、制御部４０は、室内ファン５１，５４の回転数を４０ｒｐｍ下げる（ステップＳ７）。この場合のＴｐ１は例えば四十数度である。なお、ここでは、ステップＳ７の次にステップＳ８が行われているが、ステップＳ７の次に、再度ステップＳ６の判断が行われるような構成としてもよい。
【００８３】
高圧相当飽和温度がＴｐ１以上になると、高温風制御機能をオフするような要求が来たり（ステップＳ８），タイマ４５ｃがカウントアップしたり（ステップＳ９）、といったことが無ければ、高温風モードを継続するためにステップＳ４に戻って上述の動作を繰り返す。高温風制御機能をオフするような要求が来たり（ステップＳ８），タイマ４５ｃがカウントアップしたり（ステップＳ９）、といった状況が発生した場合には高温風モードを終了する。
【００８４】
（５）変形例
（５−１）変形例Ａ
上記実施形態では、４台の室内機１１〜１４を接続できる液管用およびガス管用の４対の接続ポートが室外機１９に設けられ、室外機１９に２台〜４台の室内機を接続可能な多室型の空気調和装置１に本発明を適用しているが、接続可能な室内機の台数は複数であればよく、最大で５台の室内機を１つの室外機に接続可能な空気調和装置に本発明を適用することもできる。最大で３台の室内機を１つの室外機に接続可能な空気調和装置に対しても、本発明を適用することができる。
【００８５】
また、１つの室外機に対して１つの室内機を接続するペアタイプの空気調和装置に本発明を適用してもよい。
【００８６】
（５−２）変形例Ｂ
上記実施形態では、冷房運転と暖房運転とを切り換えることができる空気調和装置１に本発明を適用しているが、他の冷凍装置、例えば、暖房専用の空気調和装置などに本発明を適用することも可能である。
【００８７】
（５−３）変形例Ｃ
上記実施形態では、図４を用いて説明したように、高温風モードに移行したときには、他室のファン回転数を下げる制御を行ったが、他室の運転部屋のファン風量が減るようにまたは無くなるように制御を行う高温風モードに移行したときに、他室の運転部屋の上限ファンタップを下げるように構成してもよい。実施形態の図４を用いて説明した場合のように、他室の運転部屋に室内機１１，１２が在るとすると、制御部４０は、例えば室内熱交換器２３の高圧相当飽和温度（凝縮温度Ｔｃ（凝縮温度Ｔｃ３））に基づいて室内ファン５１，５２の上限ファンタップを、例えば図５に示されているように変化させる。つまり、ステップＳ６では、高圧相当飽和温度が図５の垂下ゾーンにあるか、無変化ゾーンにあるか、またはアップゾーンにあるかが判断される。垂下ゾーンにある場合には、ステップＳ７において、制御部４０が室内ファン５２，５２の上限ファンタップを１タップだけ垂下させた後にステップＳ８の判断を行う。無変化ゾーンにあるときには、そのままステップＳ８の判断を行う。アップゾーンにあるときは、上限ファンタップを１タップだけ上昇させた後にステップＳ８の判断を行う。
【００８８】
図５に示されている判断の仕方によれば、高圧相当飽和温度が上昇しているときには、高圧相当飽和温度がＴｐ２以上になるまでは垂下ゾーンに在り、Ｔｐ２以上Ｔｐ３未満のときには無変化ゾーンに在り、Ｔｐ３以上のときにはアップゾーンに在ると判断する。高圧相当飽和温度が下降しているときには、高圧相当飽和温度がＴｐ２以下になるまではアップゾーンに在り、Ｔｐ１以下になるまでは無変化ゾーンに在ると判断し、Ｔｐ１以下になると垂下ゾーンにあると判断する。なお、Ｔｐ２は例えばＴｐ１よりも数度大きく、Ｔｐ３は例えばＴｐ２よりも数度大きい。
【００８９】
（５−４）変形例Ｄ
上記実施形態では、（４−３−１−１）で説明したように、サブクール制御において高温風部屋の室内機の目標過冷却度ＳＣｍを変更することにより、第１利用側熱交換器を流れる冷媒の温度が上がるように第１膨張弁の制御を変更したが、高温風部屋の室内機の第１膨張弁の弁開度を補正することによって１利用側熱交換器を流れる冷媒の温度が上がるように構成してもよい。例えば、高温風部屋の室内機の第１膨張弁の弁開度を予め設定されている一定の弁開度に固定するようにしてもよい。このように、第１利用側熱交換器を流れる冷媒の温度が上がるように行われる第１膨張弁の制御は、目標過冷却度ＳＣｍの変更に限られるものではない。
【００９０】
（５−５）変形例Ｅ
上記実施形態では、間接的に圧縮機３６の吸入側の過熱度制御を行う目標吐出管温度制御を行う場合を例に挙げて説明したが、直接吸入側の過熱度制御を行う空気調和装置についても本発明を適用することができる。
【００９１】
（６）特徴
以下の特徴の説明では、説明を分かり易くするために、室内機１１がリモートコントローラ１１１から高温風の要求を受け、室内機１２〜１４が高温風の要求を受けなかった場合を例に挙げる。また、高温風の要求を受けなかった室内機１２〜１４のうち室内機１２がサーモオンし、室内機１３,１４がサーモオフしているものとして以下の特徴の説明をする。
【００９２】
（６−１）
上述のように設定した例の状態に空気調和装置１があると、高温風部屋の室内機１１の室内熱交換器２１が第１利用側熱交換器になり、膨張弁３１が第１膨張弁になる。制御部４０は、高温風制御を行うときには、膨張弁３１の制御を変更して、室内熱交換器２１を流れる冷媒の温度を上げ、例えば図３Ｂに示されているように、過熱領域を広げることで室内熱交換器２１に流れる冷媒の平均温度（室内熱交換器の平均温度）を上げている。その結果、室内熱交換器２１で熱交換されて吹き出される温風に対して、通常の暖房運転よりも多くの熱量を与えることができ、高温風の要求を受けた室内機１１から吹き出される温風の温度を十分に上げることができる。
【００９３】
（６−２）
上述のように設定した例では、高温風の要求を受けて制御部４０が下げた室内機１１の目標過冷却度ＳＣｍＨにより、図３Ｂに示された第１利用側熱交換器１２１のように室内熱交換器２１の過熱領域が増える。室内熱交換器２１において高温のガス冷媒が占める過熱領域を増やすことができ、室内熱交換器２１を通過する空気が受け取る熱量を増やして室内機１１が吹出す温風の温度を十分に上げることができる。
【００９４】
（６−３）
上述のように設定した例では、上述の（４−３−３）で説明したように、制御部４０により、高温風の要求の無かった冷媒経路ｒ２〜ｒ４（高温風の無かった第２冷媒経路の例）に接続された室内機１２〜１４がサーモオフし易くなるように冷媒経路ｒ２〜ｒ４の室内機１２〜１４のサーモオフ条件が変更される。室内機１２がサーモオン状態にあり、室内機１３，１４がサーモオフ状態にあるので、室内機１２のみサーモオフ条件を変更してもよい。しかし、室内機１３，１４が暖房運転されている状態でサーモオフされているのであれば、室内温度Ｔｒ３，Ｔｒ４が下がってくればいずれはサーモオフすることが予想される。そのため、サーモオフ状態にある室内機１３，１４のサーモオフ条件を変更してサーモオフし易くしておけば、後にサーモオンしたときに短期間でサーモオフさせることができることになる。このように、冷媒経路ｒ２〜ｒ４を用いた暖房運転がサーモオフする期間が増えて冷媒経路ｒ２〜ｒ４に冷媒が溜まり易くなると、冷媒経路ｒ１の室内熱交換器２１で過冷却領域が減って過熱領域が増えても空気調和装置１の冷媒を適切に配分でき、空気調和装置１は効率の良い運転状態を維持することができる。
【００９５】
（６−４）
上述のように設定した例では、高温風制御において圧縮機３６の回転数を上げて室内熱交換器２１に流れる冷媒の流量を増やすと、膨張弁３１の制御が変更されて室内熱交換器２１を流れる冷媒の温度が上がることともあいまってより多くの熱量が冷媒から室内熱交換器２１を通過する空気に与えることができるようになる。
【００９６】
（６−５）
上述のように設定した例では、高温風制御において、熱源側ファンである室外ファン３９の回転数を上げると熱源側熱交換器である室外熱交換器３５での熱交換が促進されて蒸発能力が上がり、その結果、室内熱交換器２１での凝縮能力が上がって室内熱交換器２１を通過して吹き出される温風の温度を上げることができる。
【００９７】
（６−６）
上述のように設定した例では、高温風の要求を受けた場合に第１利用側ファンである室内ファン５１の風量を所定値以下にすることで、風量が所定値を超える場合に比べて第１利用側熱交換器である室内熱交換器２１を単位時間当たりに通過する空気の量が減少して単位体積の空気が受け取る熱量が増加する。
【００９８】
（６−７）
上記実施形態の構成では、リモートコントローラ１１１〜１１４の高温風操作ボタンが操作されるとリモートコントローラ１１１〜１１４が高温風の要求を送信して制御部４０が高温風の要求を受信できるので、リモートコントローラ１１１〜１１４を使ってユーザが必要に応じて高温風制御を行うように指示することができる。
【００９９】
（６−８）  
上述のように設定した例では、室内熱交換器２１からの温風が吹き出される空調対象室に設置されている室内機１１の設定温度Ｔｓ１が制御部４０により自動的に最大値に変更されることから、高温風の要求を受けて温風の温度を上げたことによって空調対象空間の室内温度Ｔｒ１が上がり易くなっているけれども、設定温度Ｔｓ１を変更しない場合に比べて冷媒経路ｒ１を用いた高温風部屋の室内機１１の暖房運転をサーモオフし難くすることができる。その結果、高温風の要求があったことで室内熱交換器２１からの温風が止まる回数が多くなるのを抑制して快適性を確保することができる。
【０１００】
（６−９）  
上述のように設定した例では、変形例Ｄで説明したように、高温風の要求を受けた場合に、第１利用側熱交換器である室内熱交換器２１を流れる冷媒の温度が上がるように第１膨張弁である膨張弁３１の弁開度を補正すると、弁開度の補正によって温度が上がった室内熱交換器２１の冷媒から温風に対して多くの熱量を与えることができるようになる。
【０１０１】
（６−１０）       
上述のように設定した例では、制御部４０は、高温風の要求の無かった冷媒経路ｒ３，ｒ４を用いた室内機１３，１４の暖房運転がサーモオフしていることを活用して第２利用側熱交換器である室内熱交換器２３，２４に冷媒を溜めるように第２膨張弁である膨張弁３３，３４を制御する。その結果、室内熱交換器２１を流れる冷媒の温度を上げるために生じた余剰冷媒を適切に分配でき、圧縮機３６に吸入される冷媒の温度が効率の良い温度になるように制御し易くなる。
【０１０２】
（６−１１）       
上述のように設定した例では、制御部４０は、上記の（６−１０）の説明の具体例として、膨張弁３３，３４の制御を目標吐出管制御によって行うことにより、第２冷媒経路である冷媒経路ｒ３，ｒ４を用いた暖房運転がサーモオフしている場合に圧縮機３６に吸入される冷媒の温度または圧縮機３６から吐出される冷媒の温度を目標温度に近づけるように膨張弁３３，３４の弁開度を制御している。そのような制御によって図３Ｄを用いて説明したように、室内熱交換器２３，２４に冷媒を溜めることができる。
【０１０３】
（６−１２）       
上述のように設定した例では、制御部４０は、第２冷媒経路である冷媒経路ｒ３，ｒ４を用いた暖房運転がサーモオフしている場合には中間温度センサである室内熱交温度センサ９３，９４により冷媒が過冷却状態になったことが検知されても保護制御に移行しないように構成した場合、室内熱交温度センサ９３，９４が過冷却状態を検知しても液冷媒を蓄え続けながら暖房運転を続けられるので、暖房運転がサーモオフしている第２利用側熱交換器である室内熱交換器２３，２４に多くの液冷媒を溜めることができて第１利用側熱交換器である室内熱交換器２１のガス冷媒が占める過熱領域を拡大し易くなる。
【符号の説明】
【０１０４】
１    空気調和装置
２    冷媒回路
１１〜１４    室内機
２１〜２４    室内熱交換器
３１〜３４    膨張弁
３５    室外熱交換器（熱源側熱交換器の例）
３６    圧縮機
３９    室外ファン（熱源側ファンの例）
４０    制御部
５１〜５４    室内ファン
９１〜９４    室内熱交温度センサ
１１１〜１１４    リモートコントローラ
１２１    第１利用側熱交換器
１２２    第２利用側熱交換器
１３１    第１膨張弁
１３２    第２膨張弁
１５１    第１利用側ファン
１５２    第２利用側ファン
２０１    第１利用側ユニット
２０２    第２利用側ユニット
【先行技術文献】
【特許文献】
【０１０５】
【特許文献１】実開平４−４６４５号公報
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
圧縮機（３６）、第１利用側熱交換器（１２１）、第１膨張弁（１３１）、熱源側熱交換器（３５）が順に接続される第１冷媒経路を有する冷媒回路（２）と、
前記圧縮機及び前記第１膨張弁の制御を行う制御部（４０）と、
を備え、
前記冷媒回路は、前記圧縮機、第２利用側熱交換器（１２２）、前記制御部に制御される第２膨張弁（１３２）、前記熱源側熱交換器が順に接続される少なくとも１つの第２冷媒経路をさらに有し、
前記制御部は、前記第１利用側熱交換器を通過して吹出される温風の温度を一時的に上昇させる高温風の要求を受けた場合に、前記第１膨張弁の弁開度を大きくすることで過冷却領域を小さくするように制御するとともに、前記高温風の要求の無かった前記第２冷媒経路を用いた暖房運転がサーモオフし易くなるように前記第２冷媒経路の暖房運転のサーモオフ条件を変更する、空気調和装置。
【請求項２】
前記制御部は、前記高温風の要求を受けた場合に、目標過冷却度を下げて前記第１利用側熱交換器においてガス冷媒が占有する過熱領域を増やす制御を行う、
請求項１に記載の空気調和装置。
【請求項３】
前記制御部は、前記高温風の要求を受けた場合に、前記第２冷媒経路の暖房運転でサーモオフさせる条件である設定温度と室内温度の差を０にするかまたは小さくするようにサーモオフ条件を変更する、
請求項１または請求項２に記載の空気調和装置。
【請求項４】
前記制御部は、前記高温風の要求を受けた場合に、前記圧縮機の回転数を上げて、前記第１利用側熱交換器に流れる冷媒の流量を増やす制御を行う、
請求項１から３のいずれか一項に記載の空気調和装置。
【請求項５】
前記制御部に制御され、前記熱源側熱交換器を通過する気流を発生させる熱源側ファン（３９）をさらに備え、
前記制御部は、前記高温風の要求を受けた場合に、前記熱源側ファンの回転数を上げる、
請求項１から４のいずれか一項に記載の空気調和装置。
【請求項６】
前記制御部に制御され、前記第１利用側熱交換器を通過して温風として吹出される気流を発生させる第１利用側ファン（１５１）をさらに備え、
前記制御部は、前記高温風の要求を受けた場合に、前記第１利用側ファンの風量を所定値以下にする制御を行う、
請求項１から５のいずれか一項に記載の空気調和装置。
【請求項７】
前記制御部に前記高温風の要求を送信する場合に用いられる高温風要求操作ボタンを有するリモートコントローラ（１１１〜１１４）をさらに備え、
前記制御部は、前記リモートコントローラから前記高温風の要求を受信可能に構成されている、
請求項１から６のいずれか一項に記載の空気調和装置。
【請求項８】
前記制御部は、前記高温風の要求を受けた場合に、前記第１利用側熱交換器からの温風が吹き出される空調対象室の設定温度を最大値に変更する制御を行う、
請求項１から７のいずれか一項に記載の空気調和装置。
【請求項９】
前記制御部は、前記高温風の要求を受けた場合に、前記第１利用側熱交換器を流れる冷媒の温度が上がるように前記第１膨張弁の弁開度を補正する制御を行う、
請求項１から８のいずれか一項に記載の空気調和装置。
【請求項１０】
圧縮機（３６）、第１利用側熱交換器（１２１）、第１膨張弁（１３１）、熱源側熱交換器（３５）が順に接続される第１冷媒経路を有する冷媒回路（２）と、
前記圧縮機及び前記第１膨張弁の制御を行う制御部（４０）と、
を備え、
前記冷媒回路は、前記圧縮機、第２利用側熱交換器（１２２）、前記制御部に制御される第２膨張弁（１３２）、前記熱源側熱交換器が順に接続される少なくとも１つの第２冷媒経路をさらに有し、
前記制御部は、前記第１利用側熱交換器を通過して吹出される温風の温度を一時的に上昇させる高温風の要求を受けた場合に、前記第１膨張弁の弁開度を大きくすることで過冷却領域を小さくするように制御するとともに、前記高温風の要求の無かった前記第２冷媒経路を用いた暖房運転がサーモオフしている場合に前記第２利用側熱交換器に冷媒を溜めるように前記第２膨張弁を制御する、請空気調和装置。
【請求項１１】
前記制御部は、前記第２冷媒経路を用いた暖房運転がサーモオフしている場合に、前記圧縮機に吸入される冷媒の温度を目標温度に近づけるようにまたは前記圧縮機から吐出される冷媒の温度を目標温度に近づけるように前記第２膨張弁の弁開度を制御する、
請求項１０に記載の空気調和装置。
【請求項１２】
前記第２利用側熱交換器の冷媒出口と冷媒入口の間に配置された中間温度センサをさらに備え、
前記制御部は、前記第２冷媒経路を用いた暖房運転がサーモオンしている場合に前記中間温度センサにより冷媒が過冷却状態になったことが検知されると保護制御に移行するが、サーモオフしている場合には保護制御に移行しないように構成されている、
請求項１１に記載の空気調和装置。
【請求項１３】
前記制御部は、前記高温風の要求を受けた場合に、目標過冷却度を下げて前記第１利用側熱交換器においてガス冷媒が占有する過熱領域を増やす制御を行う、
請求項１０から１２のいずれか一項に記載の空気調和装置。
【手続補正２】
【補正対象書類名】明細書
【補正対象項目名】全文
【補正方法】変更
【補正の内容】
【発明の詳細な説明】
【技術分野】
【０００１】
本発明は、空気調和装置、特に暖房機能を有する空気調和装置に関する。
【背景技術】
【０００２】
従来から、空気調和装置において暖房運転が行われている状況で、寒い室外から室内に入ったときにできるだけ温度の高い温風で暖まりたいという場合がある。例えば、特許文献１（実開平４−４６４５号公報）には、「高温送風モード」に設定され、つまり温度の高い温風を一時的に吹き出すよう要求があったときに、圧縮機の運転周波数を最大にして、室内側送風機の回転数を「弱」とすることにより、利用者に冷風感を与えないようにする技術が開示されている。
【発明の概要】
【発明が解決しようとする課題】
【０００３】
しかしながら、特許文献１に記載されているように、圧縮機の運転周波数を最大にして、室内側送風機の回転数を低くしただけでは、利用者に送風する温風として十分に温度を上昇させられないことがある。
【０００４】
本発明の課題は、吹出される温風の温度を一時的に上昇させる高温風の要求を受けたときに温風の温度を十分に上げることのできる空気調和装置を提供することである。
【課題を解決するための手段】
【０００５】
本発明の第１観点に係る空気調和装置は、圧縮機、第１利用側熱交換器、第１膨張弁、熱源側熱交換器が順に接続される第１冷媒経路を有する冷媒回路と、圧縮機及び第１膨張弁の制御を行う制御部と、を備え、制御部は、第１利用側熱交換器を通過して吹出される温風の温度を一時的に上昇させる高温風の要求を受けた場合に、第１膨張弁の弁開度を大きくすることで過冷却領域を小さくするように制御する。
【０００６】
第１観点に係る空気調和装置によれば、第１利用側熱交換器を通過して吹出される温風の温度を一時的に上昇させる高温風の要求を受けた場合に、第１膨張弁の弁開度を大きくすることで過冷却領域を小さくするように制御するので、第１利用側熱交換器で熱交換されて吹出される温風に対して、第１膨張弁の制御を変更によって温度が上がった冷媒から、より多くの熱量が与えられる。
【０００７】
また、第１観点に係る空気調和装置は、冷媒回路は、圧縮機、第２利用側熱交換器、制御部に制御される第２膨張弁、熱源側熱交換器が順に接続される少なくとも１つの第２冷媒経路をさらに有し、制御部は、高温風の要求を受けた場合に、高温風の要求の無かった第２冷媒経路を用いた暖房運転がサーモオフし易くなるように第２冷媒経路の暖房運転のサーモオフ条件を変更する、ものである。
【０００８】
第１観点に係る空気調和装置によれば、制御部により高温風の要求の無かった第２冷媒経路を用いた暖房運転がサーモオフし易くなるようにサーモオフ条件が変更されると、第２冷媒経路を用いた暖房運転がサーモオフする期間が増えて第２冷媒経路に液冷媒が溜まり易くなる。
【０００９】
本発明の第２観点に係る空気調和装置は、第１観点に係る空気調和装置であって、制御部は、高温風の要求を受けた場合に、目標過冷却度を下げて第１利用側熱交換器においてガス冷媒が占有する過熱領域を増やす制御を行う、ものである。
【００１０】
第２観点に係る空気調和装置によれば、高温風の要求を受けた場合に目標過冷却度を下げると第１膨張弁の弁開度が増加して第１利用側熱交換器においてガス冷媒が占有する過熱領域が増えるので、第１利用側熱交換器において高温のガス冷媒の割合が増える。
【００１１】
本発明の第３観点に係る空気調和装置は、第１観点または第２観点に係る空気調和装置であって、制御部は、高温風の要求を受けた場合に、第２冷媒経路の暖房運転でサーモオフさせる条件である設定温度と室内温度の差を０にするかまたは小さくするようにサーモオフ条件を変更する、ものである。
【００１２】
本発明の第４観点に係る空気調和装置は、第１観点から第３観点のいずれかに係る空気調和装置であって、制御部は、高温風の要求を受けた場合に、圧縮機の回転数を上げて、第１利用側熱交換器に流れる冷媒の流量を増やす制御を行う、ものである。
【００１３】
第４観点に係る空気調和装置によれば、高温風の要求を受けた場合に、第１利用側熱交換器に流れる冷媒の流量が圧縮機の回転数が上がることによって増えるので、第１膨張弁の制御が変更されて第１利用側熱交換器を流れる冷媒の温度が上がることともあいまって、より多くの熱量を冷媒から第１利用側熱交換器を通過する空気に与えることができるようになる。
【００１４】
本発明の第５観点に係る空気調和装置は、第1観点から第４観点のいずれかに係る空気調和装置であって、制御部に制御され、熱源側熱交換器を通過する気流を発生させる熱源側ファンをさらに備え、制御部は、高温風の要求を受けた場合に、熱源側ファンの回転数を上げる、ものである。
【００１５】
第５観点に係る空気調和装置によれば、熱源側ファンの回転数を上げると熱源側熱交換器での熱交換が促進されて蒸発能力が上がり、その結果、第１利用側熱交換器での凝縮能力が上がって第１利用側熱交換器を通過して吹き出される温風の温度を上げることができる。
【００１６】
本発明の第６観点に係る空気調和装置は、第１観点から第５観点のいずれかに係る空気調和装置であって、制御部に制御され、第１利用側熱交換器を通過して温風として吹出される気流を発生させる第１利用側ファンをさらに備え、制御部は、高温風の要求を受けた場合に、第１利用側ファンの風量を所定値以下にする制御を行う、ものである。
【００１７】
第６観点に係る空気調和装置によれば、高温風の要求を受けた場合に第１利用側ファンの風量を所定値以下にすることで、風量が所定値を超える場合に比べて第１利用側熱交換器を単位時間当たりに通過する空気の量が減少して単位体積の空気が受け取る熱量が増加する。
【００１８】
本発明の第７観点に係る空気調和装置は、第１観点から第６観点のいずれかに係る空気調和装置であって、制御部に高温風の要求を送信する場合に用いられる高温風要求操作ボタンを有するリモートコントローラをさらに備え、制御部は、リモートコントローラから高温風の要求を受信可能に構成されている、ものである。
【００１９】
第７観点に係る空気調和装置によれば、リモートコントローラの高温風操作ボタンが操作されるとリモートコントローラが高温風の要求を送信して制御部が高温風の要求を受信できる。
【００２０】
本発明の第８観点に係る空気調和装置は、第１観点から第７観点のいずれかに係る空気調和装置であって、制御部は、高温風の要求を受けた場合に、第１利用側熱交換器からの温風が吹き出される空調対象室の設定温度を最大値に変更する制御を行う、ものである。
【００２１】
第８観点に係る空気調和装置によれば、第１利用側熱交換器からの温風が吹き出される空調対象室の設定温度が制御部により最大値に変更されることから、高温風の要求を受けて温風の温度を上げたことによって空調対象空間の室内温度が上がり易くなっているけれども、設定温度を変更しない場合に比べて第１冷媒経路を用いた暖房運転をサーモオフし難くすることができる。
【００２２】
本発明の第９観点に係る空気調和装置は、第１観点から第８観点のいずれかに係る空気調和装置であって、制御部は、高温風の要求を受けた場合に、第１利用側熱交換器を流れる冷媒の温度が上がるように第１膨張弁の弁開度を補正する制御を行う、ものである。
【００２３】
第９観点に係る空気調和装置によれば、高温風の要求を受けた場合に、第１利用側熱交換器を流れる冷媒の温度が上がるように第１膨張弁の弁開度を補正することから温風に対して弁開度の補正によって温度が上がった、第１利用側熱交換器の冷媒から多くの熱量が与えられる。
【００２４】
本発明の第１０観点に係る空気調和装置は、圧縮機、第１利用側熱交換器、第１膨張弁、熱源側熱交換器が順に接続される第１冷媒経路を有する冷媒回路と、圧縮機及び第１膨張弁の制御を行う制御部と、を備え、冷媒回路は、圧縮機、第２利用側熱交換器、制御部に制御される第２膨張弁、熱源側熱交換器が順に接続される少なくとも１つの第２冷媒経路をさらに有し、制御部は、第１利用側熱交換器を通過して吹出される温風の温度を一時的に上昇させる高温風の要求を受けた場合に、第１膨張弁の弁開度を大きくすることで過冷却領域を小さくするように制御するとともに、高温風の要求の無かった第２冷媒経路を用いた暖房運転がサーモオフしている場合に第２利用側熱交換器に冷媒を溜めるように第２膨張弁を制御する、ものである。
【００２５】
第１０観点に係る空気調和装置によれば、第１利用側熱交換器を通過して吹出される温風の温度を一時的に上昇させる高温風の要求を受けた場合に、第１膨張弁の弁開度を大きくすることで過冷却領域を小さくするように制御するので、第１利用側熱交換器で熱交換されて吹出される温風に対して、第１膨張弁の制御を変更によって温度が上がった冷媒から、より多くの熱量が与えられる。
【００２６】
また、第１０観点に係る空気調和装置によれば、制御部は、高温風の要求の無かった第２冷媒経路を用いた暖房運転がサーモオフしている場合に第２利用側熱交換器に冷媒を溜めるように第２膨張弁を制御することから、第１利用側熱交換器を流れる冷媒の温度を上げるために生じた余剰冷媒を適切に分配できる。
【００２７】
本発明の第１１観点に係る空気調和装置は、第１０観点に係る空気調和装置であって、制御部は、第２冷媒経路を用いた暖房運転がサーモオフしている場合に、圧縮機に吸入される冷媒の温度を目標温度に近づけるようにまたは圧縮機から吐出される冷媒の温度を目標温度に近づけるように第２膨張弁の弁開度を制御する、ものである。
【００２８】
第１１観点に係る空気調和装置によれば、制御部は、第２冷媒経路を用いた暖房運転がサーモオフしている場合に圧縮機に吸入される冷媒の温度または圧縮機から吐出される冷媒の温度を目標温度に近づけるように第２膨張弁の弁開度を制御することから、第２利用側熱交換器に冷媒を溜める第２膨張弁の制御を容易に実現することができる。
【００２９】
本発明の第１２観点に係る空気調和装置は、第１１観点に係る空気調和装置であって、第２利用側熱交換器の冷媒出口と冷媒入口の間に配置された中間温度センサをさらに備え、制御部は、第２冷媒経路を用いた暖房運転がサーモオンしている場合に中間温度センサにより冷媒が過冷却状態になったことが検知されると保護制御に移行するが、サーモオフしている場合には保護制御に移行しないように構成されている、ものである。
【００３０】
第１２観点に係る空気調和装置によれば、制御部は、第２冷媒経路を用いた暖房運転がサーモオフしている場合には中間温度センサにより冷媒が過冷却状態になったことが検知されても保護制御に移行しないことから、中間温度センサが過冷却状態を検知しても液冷媒を蓄え続けながら暖房運転を続けられる。
【００３１】
本発明の第１３観点に係る空気調和装置は、第１０観点から第１２観点のいずれかに係る空気調和装置であって、制御部は、高温風の要求を受けた場合に、目標過冷却度を下げて第１利用側熱交換器においてガス冷媒が占有する過熱領域を増やす制御を行う、ものである。
【００３２】
第１３観点に係る空気調和装置によれば、高温風の要求を受けた場合に目標過冷却度を下げると第１膨張弁の弁開度が増加して第１利用側熱交換器においてガス冷媒が占有する過熱領域が増えるので、第１利用側熱交換器において高温のガス冷媒の割合が増える。
【発明の効果】
【００３３】
第１観点または第１０観点に係る空気調和装置では、高温風の要求を受けた第１利用側熱交換器から吹き出される温風の温度を十分に上げることができる。
【００３４】
第１観点または第３観点に係る空気調和装置では、第１冷媒経路の第１利用側熱交換器で過冷却領域が減って過熱領域が増えても空気調和装置の冷媒を適切に配分でき、効率の良い運転状態を維持することができる。
【００３５】
第２観点、第４観点、第５観点、第６観点、第９観点または第１３観点に係る空気調和装置では、第１利用側熱交換器を通過する空気が受け取る熱量を増やして温風の温度を十分に上げることができる。
【００３６】
第７観点に係る空気調和装置では、リモートコントローラを使ってユーザが必要に応じて高温風の要求を行うことができる。
【００３７】
第８観点に係る空気調和装置では、高温風の要求があったことで第１利用側熱交換器からの温風が止まる回数が多くなるのを抑制して快適性を確保することができる。
【００３８】
第１０観点または第１１観点に係る空気調和装置では、圧縮機に吸入される冷媒の温度が効率の良い温度になるように制御し易くなる。
【００３９】
第１２観点に係る空気調和装置では、暖房運転がサーモオフしている第２利用側熱交換器に多くの液冷媒を溜めることができて第１利用側熱交換器のガス冷媒の占める過熱領域を拡大し易くなる。
【図面の簡単な説明】
【００４０】
【図１】本発明の一実施形態に係る空気調和装置を示す冷媒回路図。
【図２】空気調和装置の制御系統を示すブロック図。
【図３Ａ】高温風制御前の第１利用側熱交換器の状態を説明するための模式図。
【図３Ｂ】高温風制御後の第１利用側熱交換器の状態を説明するための模式図。
【図３Ｃ】高温風制御後の運転部屋の第２利用側熱交換器の状態を説明するための模式図。
【図３Ｄ】高温風制御後の停止部屋の第２利用側熱交換器の状態を説明するための模式図。
【図４】他室の室内機の制御を説明するためのフローチャート。
【図５】高圧相当飽和温度とファンタップの設定の関係の一例を示す説明図。
【発明を実施するための形態】
【００４１】
（１）構成
本発明の一実施形態に係る空気調和装置の冷媒回路を、図１に示す。空気調和装置１は、多室型空気調和装置であって、１つの熱源側ユニットである室外機１９に対して、複数の利用側ユニットである室内機１１，１２，１３，１４が並列に接続される構成である。室外機１９は、圧縮機３６、アキュムレータ３７、四路切換弁３８、熱源側熱交換器である室外熱交換器３５、膨張弁３１，３２，３３，３４、及び熱源側ファンである室外ファン３９を収容している。室内機１１，１２，１３，１４は、利用側熱交換器である室内熱交換器２１，２２，２３，２４及び利用側ファンである室内ファン５１，５２，５３，５４を収容している。
【００４２】
圧縮機３６は、後述する制御部４０によって回転数制御ができるように構成されている。ここで、圧縮機３６は、冷凍サイクルの低圧の冷媒を高圧になるまで圧縮する機器である。圧縮機３６は、インバータにより周波数制御が可能な圧縮機用モータ３６ａによって回転駆動される容量式圧縮機である。室外ファン３９は、制御部４０によって回転数制御が可能な室外ファン用モータ３９ａにより駆動される。室外ファン３９は、例えばプロペラファンであり、回転数を変えることによって風量を変更できるように構成されている。膨張弁３１〜３４は、制御部４０によってそれぞれの弁開度が個別に変更されるように制御される。室内ファン５１，５２，５３，５４は、制御部４０によって回転数制御が可能な室内ファン用モータ５１ａ，５２ａ，５３ａ，５４ａによりそれぞれが駆動される。室内ファン５１〜５４は、例えば遠心ファンまたは多翼ファンであり、回転数を変えることによって風量を変更できるように構成されている。
【００４３】
空気調和装置１の冷媒回路２は、圧縮機３６、アキュムレータ３７、四路切換弁３８、室外熱交換器３５、膨張弁３１〜３４、室内熱交換器２１〜２４が接続されて構成されている。
【００４４】
冷媒経路ｒ１を流れる冷媒は、圧縮機３６と室内熱交換器２１と膨張弁３１と室外熱交換器３５と四路切換弁３８とアキュムレータ３７を流れる。冷媒経路ｒ２を流れる冷媒は、圧縮機３６と室内熱交換器２２と膨張弁３２と室外熱交換器３５と四路切換弁３８とアキュムレータ３７を流れる。冷媒経路ｒ３を流れる冷媒は、圧縮機３６と室内熱交換器２３と膨張弁３３と室外熱交換器３５と四路切換弁３８とアキュムレータ３７を流れる。冷媒経路ｒ４を流れる冷媒は、圧縮機３６と室内熱交換器２４と膨張弁３４と室外熱交換器３５と四路切換弁３８とアキュムレータ３７を流れる。
【００４５】
冷媒経路ｒ１〜ｒ４では、それぞれに蒸気圧縮式の冷凍サイクルが実施される。この冷媒回路２を循環する冷媒としては、例えば、地球温暖化係数が小さい単一冷媒のＲ３２（組成は、ＨＦＣ−３２が１００％）が用いられている。
【００４６】
また、四路切換弁３８と室内熱交換器２１〜２４との間は、ガス冷媒配管１７により接続され、膨張弁３１〜３４と室内熱交換器２１〜２４との間は、液冷媒配管１８により接続される。
【００４７】
また、空気調和装置１は、サーミスタからなる多くの温度センサを備えている。室外温度センサ９７は、室外機１９が設置されている室外空間の外気温度を検知する。吐出管温度センサ９０は、圧縮機３６の吐出配管に取り付けられ、圧縮機３６から吐出される冷媒の吐出温度Ｔｏを検出する。暖房運転時に蒸発温度を検知する室外熱交温度センサ９５は、熱源側熱交換器である室外熱交換器３５に取り付けられ、暖房運転時の蒸発温度Ｔｅを検出する。室内熱交温度センサ９１，９２，９３，９４は、室内熱交換器２１，２２，２３，２４に取り付けられ、暖房運転時の凝縮温度Ｔｃ１〜Ｔｃ４を検出する。液管温度センサ８１，８２，８３，８４は、室外熱交換器３５から分岐して室内熱交換器２１〜２４へと延びる液冷媒配管１８の各部１８ａ，１８ｂ，１８ｃ，１８ｄに取り付けられ、液管温度Ｔｌ１〜Ｔｌ４を検出する。室内温度センサ６１〜６４は、室内機１１〜１４にそれぞれ取り込まれる室内空気の温度である室内温度Ｔｒ１〜Ｔｒ４を検知するように、それぞれが対応する室内機１１〜１４内に配置されている。ガス管温度センサ７１〜７４は、四路切換弁３８から分岐して室内熱交換器２１〜２４へと延びるガス冷媒配管１７の各部１７ａ，１７ｂ，１７ｃ，１７ｄに取り付けられる。これら温度センサの検出値に基づき、制御部４０が空気調和装置１の動作を制御する。
【００４８】
（２）動作
（２−１）冷房時の冷媒の流れ
次に空気調和装置１の動作の概略を説明する。冷房運転時は、四路切換弁３８が図１において実線で示す状態に保持される。圧縮機３６から吐出された高温高圧のガス冷媒は、四路切換弁３８を介して室外熱交換器３５に流入し、室外ファン３９により供給される外気と室外熱交換器３５で熱交換して凝縮・液化する。液化した冷媒は、膨張弁３１〜３４で減圧され、室内ファン５１〜５４により供給される室内空気と室内熱交換器２１〜２４でさらに熱交換して蒸発する。冷媒の蒸発によって冷却された室内空気は、室内ファン５１〜５４によって室内空間へと吹き出され、室内空間を冷房する。また、室内熱交換器２１〜２４で蒸発して気化した冷媒は、ガス冷媒配管１７を通って室外機１９に戻り、四路切換弁３８及びアキュムレータ３７を経て圧縮機３６に吸い込まれる。
【００４９】
（２−２）暖房時の冷媒の流れ
暖房運転時は、四路切換弁３８が図１において破線で示す状態に保持される。圧縮機３６から吐出された高温高圧のガス冷媒は、四路切換弁３８を介して各室内機１１〜１４の室内熱交換器２１〜２４に流入し、室内ファン５１〜５４により供給される室内空気と室内熱交換器２１〜２４で熱交換して凝縮・液化する。冷媒の凝縮によって加熱された室内空気は、室内ファン５１〜５４によって室内空間へと吹き出され、室内空間を暖房する。室内熱交換器２１〜２４において液化した冷媒は、液冷媒配管１８を通って室外機１９に戻る。室外機１９に戻った冷媒は、膨張弁３１〜３４で減圧され、室外ファン３９により供給される室外空気と室外熱交換器３５でさらに熱交換して蒸発する。室外熱交換器３５で蒸発して気化した冷媒は、四路切換弁３８及びアキュムレータ３７を経て圧縮機３６に吸い込まれる。
【００５０】
上記のように、暖房運転においては、室内熱交換器２１〜２４（利用側熱交換器）が冷媒の放熱器として機能して室内を暖め、室外熱交換器３５（熱源側熱交換器）が冷媒の蒸発器として機能する。
【００５１】
（３）制御
（３−１）概要
図２には、空気調和装置１の制御系統の概要が示されている。制御部４０は、室内制御装置４１〜４４と室外制御装置４５とを含んでいる。具体的には、室外機１９の電装品ボックス（図示せず）の中の制御基板（室外制御装置４５に対応）および室内機１１〜１４の電装品ボックス（図示せず）の中の制御基板（室内制御装置４１〜４４に対応）が接続されて制御部４０が構成されている。室内制御装置４１〜４４は、ＣＰＵ４１ａ〜４４ａ及びメモリ４１ｂ〜４４ｂを含んで構成されている。また、室外制御装置４５は、ＣＰＵ４５ａ、メモリ４５ｂ及びタイマ４５ｃを含んで構成されている。メモリ４１ｂ〜４５ｂには、室内機１１〜１４及び室外機１９を制御するためのプログラム及びデータが記述されている。ＣＰＵ４１ａ〜４５ａは、メモリ４１ｂ〜４５ｂに記述されているプログラムを実行することにより、各機器を制御するための信号を生成する。さらに、室内機１１〜１４には、ユーザが操作入力するリモートコントローラ１１１〜１１４の指令を受け付ける受信部、空調空気の吹出方向を変えるモータのドライバ、及び運転モードなどを表示する表示部などが設けられている。
【００５２】
図２に示すように、制御部４０には、上述の各温度センサの検出値が入力され、これらの値に基づいて冷房運転や暖房運転の制御が行われる。
【００５３】
（３−２）冷房運転制御
制御部４０は、冷房運転中の圧縮機３６の周波数や膨張弁３１〜３４の弁開度を制御する。冷房運転における制御については、従来通りであるため、ここでは説明を省略する。
【００５４】
（３−３）暖房運転制御
制御部４０は、停止状態から圧縮機３６を起動して暖房運転を始めるときの起動制御、起動後の冷媒状態が安定した通常暖房運転状態における膨張弁３１〜３４の弁開度調整のための目標吐出管温度制御及びサブククール制御、通常暖房運転状態における圧縮機３６の容量制御、高温風要求があった場合の制御、室外熱交換器３５に着いた霜を溶かすための除霜制御などを行う。ここでは、本発明と関連する通常暖房運転時の目標吐出管温度制御、サブクール制御及び容量制御並びに高温風要求があった場合の高温風制御について説明する。
【００５５】
（３−３−１）通常暖房運転の目標吐出管温度制御
目標吐出管温度制御においては、吐出管温度を用いて膨張弁３１〜３４の弁開度を制御することにより、間接的に圧縮機３６の吸入側の過熱度制御を行うとともに、圧縮機３６の吐出温度の管理及び圧縮機３６が吸入する冷媒が湿り状態になっても圧縮機３６の運転が管理できるように構成されている。圧縮機３６に吸入される冷媒が湿り状態になっても、圧縮機３６が損傷しない範囲で吐出管温度制御が行われる。
【００５６】
通常暖房運転状態においてける目標吐出管温度制御では、制御部４０は、吐出管温度センサ９０が検知した吐出温度Ｔｏが目標吐出管温度Ｔｍに近づくように、膨張弁３１〜３４の弁開度を調整する。正確には、吐出管温度センサ９０が検出する温度は圧縮機３６の吐出管の温度であって吐出される冷媒の温度ではない。そのため吐出管温度センサ９０が検出する温度を補正することが好ましい場合があるが、ここでは、吐出管温度センサ９０が検出する温度が吐出される冷媒の温度に等しいものとして説明を行う。
【００５７】
制御部４０は、目標吐出管温度Ｔｍは、室外熱交温度センサ９５を用いて検知される蒸発温度Ｔｅと、室内熱交温度センサ９１〜９４を用いて検知される凝縮温度Ｔｃとに基づいて設定される。目標吐出管温度Ｔｍは、通常の運転状態であれば、後述する吐出過熱度が１０℃以上確保される値となる。
【００５８】
この目標吐出管温度制御により、冷凍サイクルの効率の高いポイント（圧力および温度）において冷媒が圧縮機３６に吸入され圧縮機３６から吐出されるようになる。なお、膨張弁３１〜３４全体としての弁開度が目標吐出管温度制御によって調整される一方、各室内機１１〜１４において必要な暖房能力に応じて各膨張弁３１〜３４の弁開度が調整される。
【００５９】
（３−３−２）通常暖房運転時の圧縮機の容量制御
通常暖房運転状態における圧縮機３６の容量制御は、各室内機１１〜１４からの要求に基づいて圧縮機３６の回転数を上下させる制御である。具体的には、室内機１１〜１４の室内温度センサ６１〜６４が検知する室内温度Ｔｒ１〜Ｔｒ４と、リモートコントローラ１１１〜１１４で設定された設定温度Ｔｓ１〜Ｔｓ４との差に基づき、制御部４０が、必要な圧縮機３６の出力を決めて、圧縮機３６の回転数を変更する。
【００６０】
（３−３−３）通常暖房運転時のサブクール制御
通常暖房運転状態におけるサブクール制御は、目標吐出管温度制御により決定される各膨張弁３１〜３４の弁開度を、暖房運転時の冷媒の分配が適正に行われるように補正する制御である。制御部４０は、運転部屋の液管温度センサ８１〜８４が検出する液管温度Ｔｌ１〜Ｔｌ４と室内熱交温度センサ９１〜９４が検出する凝縮温度Ｔｃ１〜Ｔｃ４とを使って各運転部屋の過冷却度ＳＣ１〜ＳＣ４を算出することができる。例えば、（ＳＣ１＝Ｔｃ１−Ｔｌ１）などのように、各凝縮温度Ｔｃ１〜Ｔｃ４から各液管温度Ｔｌ１〜Ｔｌ４を差し引くことで、各運転部屋の過冷却度ＳＣ１〜ＳＣ４を求めることができる。この実施形態では、室内機１１〜１４が異なる第１部屋から第４部屋に配置されているとして説明する。ここで、運転部屋とは、第１部屋から第４部屋のうち室内機１１〜１４がサーモオンしている部屋をいう。それに対して、第１部屋から第４部屋のうち室内機１１〜１４がサーモオフしている部屋は停止部屋と呼ぶ。
【００６１】
上述の過冷却度ＳＣ１〜ＳＣ４このような計算と並行して、制御部４０は、例えば、圧縮機３６の回転数ｆｃ、吐出温度Ｔｏと目標吐出管温度Ｔｍとの温度差などを用いて目標過冷却度ＳＣｍを算出する。例えば、第１部屋の室内機１１がサーモオンしている場合には、目標過冷却度ＳＣｍと、運転部屋である第１部屋の室内機１１の過冷却度ＳＣ１とを比較して膨張弁３１の弁開度を補正する。
【００６２】
もし、第１部屋の過冷却度ＳＣ１が目標過冷却度ＳＣｍより小さければ（ＳＣ１＜ＳＣｍ）、第１部屋の膨張弁３１の弁開度を大きくする。
【００６３】
もし、第１部屋の過冷却度ＳＣ１が目標過冷却度ＳＣｍより大きければ（ＳＣ１＞ＳＣｍ）、第１部屋の膨張弁３１の弁開度を小さくする。
【００６４】
もし、第１部屋の過冷却度ＳＣ１が目標過冷却度ＳＣｍと等しければ（ＳＣ１＝ＳＣｍ）、第１部屋の膨張弁３１の弁開度を現状のまま維持する。
【００６５】
なお、弁開度を維持する場合を広げるために、過冷却度ＳＣ１と目標過冷却度ＳＣｍの差ΔＳＣが予め定められた範囲内にある場合には弁開度を変化させないように制御してもよい。
【００６６】
（４）高温風制御
高温風制御は、例えば、リモートコントローラ１１１〜１１４に設けられている、高温風を要求する高温風要求操作ボタンをユーザが操作することにより開始される。ここで、高温風制御は、高温風の要求を受けた場合に、高温風要求を受けた室内機が設置されている部屋の第１利用側熱交換器を通過して吹出される温風の温度を一時的に上昇させる制御である。なお、以下の説明では、高温風の要求のあった室内機が設置されている部屋を高温風部屋、高温風の要求の無かった室内機が設置されている部屋を他室と呼ぶ場合もある。
【００６７】
例えば、ユーザがリモートコントローラ１１４の高温風操作ボタンを操作して高温風の要求を送信した場合は、第４部屋が高温風部屋であり、第４部屋の室内熱交換器２４が第１利用側熱交換器に該当する。なお、リモートコントローラ１１１〜１１４のうちの複数で高温風操作ボタンが操作された場合には、複数の部屋が高温風部屋になり、複数の高温風部屋の室内熱交換器が第１利用側熱交換器に該当するように構成することもできる。また、要求があっても高温風制御を行うことが適切ではない場合があるので、制御部４０は、高温風要求操作ボタンが押されることを１つの開始条件として、他の開始条件も満足されたときに高温風制御を行うように構成してもよい。また、リモートコントローラ１１１〜１１４の高温風要求操作ボタンを操作する方法以外の方法で高温風制御が開始されるように構成してもよい。ただし、ここでは説明を簡単にするために、ユーザがリモートコントローラ１１１〜１１４の高温風要求操作ボタンを操作したときに高温風制御が開始されるものとする。以下の説明では、高温風要求操作ボタンが押された部屋の室内熱交換器を第１利用側熱交換器と呼ぶ。また、第１利用側熱交換器が接続されている経路を第１冷媒経路と呼び、第１冷媒経路に在る膨張弁を第１膨張弁と呼ぶ。上述のように、リモートコントローラ１１４の高温風操作ボタンが操作された場合には、冷媒経路ｒ４が第１冷媒経路であり、膨張弁３４が第１膨張弁である。
【００６８】
制御部４０は、例えば、高温風制御に入ってからの経過時間をタイマ４５ｃによりカウントし、予め設定されている時間（例えば３０分）に達したことを条件として高温風制御を解除する。また、制御部４０は、高温風制御を続けることが適切でないと判断した場合には、高温風制御を解除する。例えば、高温風部屋の室内機１４がリモートコントローラ１１４からの指示で電源をオフされた場合などには、高温風の要求を出した室内機が無くなってしまうので、そのような場合にはタイマ４５ｃのカウントが設定された時間に達していなくても高温風制御を解除する。
【００６９】
（４−１）高温風制御のための能力引き上げ
制御部４０は、高温風要求を受けた場合に、第１利用側熱交換器に流れる冷媒の流量を増やす制御を行う。具体的には、制御部４０は、高温風要求を受けた場合に、圧縮機３６の回転数を上げる。制御部４０は、例えば、圧縮機３６の回転数に補正値を加えて圧縮機３６の回転数を高温風要求前に比べて大きくする。また、高温風要求を受けた場合に圧縮機３６の回転数を上げるために、制御部４０は、例えば、圧縮機３６の回転数の上限値を引き上げるように構成されてもよい。
【００７０】
制御部４０は、高温風要求を受けた場合に、熱源側熱交換器に流れる外気の流量を増やす制御を行う。具体的には、制御部４０は、温風要求を受けた場合に、室外ファン３９の回転数を上げる。制御部４０は、例えば、高温風要求を受けた場合に、室外ファン３９の回転数を最大値に設定する。
【００７１】
（４−２）熱交換器通過空気の単位体積当たりの熱量の確保
制御部４０は、高温風要求を受けた第１利用側熱交換器を通過して温風として吹き出される風量を制限する制御を行う。ここでは、高温風部屋の第１利用側熱交換器には第１利用側ファンで送風する。具体的には、例えば、リモートコントローラ１１２の高温風要求操作ボタンが操作された場合には、制御部４０は、第１利用側ファンとなった室内ファン５２のファンタップを予め設定されたタップ以下の風量のタップに制限する。室内ファン５２について、例えば、６段階の切換えが可能な場合に、風量が小さい方から３番目以下に制限するなどである。風量があまり小さくなり過ぎても高温風を受けている実感をユーザが得難い場合もあるので、温風の温度が下がり過ぎない適当な風量に設定される。また、風量を下げる場合には、制御部４０は、徐々に下げるように制御する。
【００７２】
（４−３）膨張弁の弁開度の変更
制御部４０は、高温風の要求を受けた場合に、高温風部屋の第１利用側熱交換器を流れる冷媒の温度が上がるように第１膨張弁の制御を変更する。言い換えると、制御部４０は、第１利用側熱交換器の平均温度を上げるように第１膨張弁の弁開度を変更する。具体的には、高温風制御前は、図３Ａに示されているような第１利用側熱交換器１２１に流れ込んだガス冷媒Ｒｆ１によって形成される過熱領域を、高温風制御後は、図３Ｂに示されているように大きくする。それに伴って、高温風制御前は、図３Ａに示されているよう大きかった過冷却領域が、高温風制御後は、図３Ｂに示されている過冷却領域のように小さくなる。その結果、例えば、高温風制御前に、第１利用側熱交換器１２１が２０℃の室内温度を熱交換によって５０℃まで上昇させていたのに比べて、高温風制御後は、第１利用側熱交換器１２１が２０℃の室内温度を熱交換によって６０℃まで上昇させることができるようになる。それに対して、運転部屋の高温風の要求の無かった第２利用ユニット２０２の第２利用側熱交換器１２２は、図３Ｃに示されているように、高温風制御後は、過冷却領域が増えて過熱領域が減る傾向にあり、第２利用側熱交換器１２２から吹き出される温風の温度は下がり気味になる。また、停止部屋の高温風の要求の無かった第２利用ユニット２０２の第２利用側熱交換器１２２は、図３Ｄに示されているように、第２利用側ファンが停止して、高温風制御後は、過冷却領域がさらに増えて過熱領域がさらに減る。
【００７３】
なお、図３Ａ乃至図３Ｄにおいて、過冷却領域から流出する冷媒は液冷媒Ｒｆ２である。また、過熱領域の冷媒の平均温度が７０℃、気液二相領域の冷媒の温度が５０℃、そして、過冷却領域の冷媒の温度が３０℃である場合が示されているが、これは説明のためのモデルであって実際の場合が必ずしもこのモデルと一致するとは限らない。また、図３Ａ、図３Ｂ及び図３Ｃにおいて、第１利用側熱交換器１２１から出た液冷媒Ｒｆ２を膨張させるのが第１膨張弁１３１であり、第１利用側熱交換器１２１に送風するのが第１利用側ファン１５１であり、第２利用側熱交換器１２２から出た液冷媒Ｒｆ２を膨張させるのが第２膨張弁１３２であり、第２利用側熱交換器１２２に送風するのが第２利用側ファン１５２である。
【００７４】
（４−３−１）サブクール制御の変更
（４−３−１−１）運転部屋の目標過冷却度の変更
制御部４０は、図３Ａ及び図３Ｂに示されている第１利用側熱交換器１２１を有する第１利用側ユニット２０１が高温風の要求を受けた場合に、第１利用側熱交換器１２１を有する第１利用側ユニット２０１に対して、目標過冷却度ＳＣｍを下げて、第１利用側熱交換器１２１においてガス冷媒が占有する過熱領域を増やす制御を行う。例えば、制御部４０は、通常暖房運転時と同様に目標過冷却度ＳＣｍを算出した後に、予め設定されている所定値を差し引いて高温風制御用の目標過冷却度ＳＣｍＨを算出する。所定値は、定数であってもよく、また予め定められている計算式に従って計算される値であってもよく、メモリ４１ｂ〜４５ｂ内のテーブルに記載されている値であってもよい。例えば、通常暖房運転時の目標過冷却度ＳＣｍが１２度であるとすると、図１に示されているように４台の室内機１１〜１４が接続され、そのうちの１台から高温風の要求があった場合には、その高温風の要求があった高温風部屋の室内機の変更後の目標過冷却度ＳＣｍＨは５度に変更される。高温風の要求があった高温風部屋が２以上である場合は、他室への影響を考慮するとともに全体的に効率の良い運転をするために、目標過冷却度ＳＣｍＨを大きくしていくことが好ましい。例えば、高温風部屋が２つである場合（２台の室内機から高温風の要求があった場合）は、高温風部屋が１つである場合（１台の室内機のみから高温風の要求があった場合）には５度であるのに対して例えば高温風部屋が２つの場合には目標過冷却度ＳＣｍＨを両部屋とも７〜８度に、高温風部屋が３つの場合には９〜１１度にするなどである。つまり、高温風の要求が複数の室内機からある場合には、要求がある室内機の数が多くなるほど目標過冷却度ＳＣｍＨの下げ幅を小さくするように構成されることが好ましい。
【００７５】
（４−３−１−２）他室の運転部屋の目標過冷却度
制御部４０は、ここでは、高温風の要求が無かった室内機の目標過冷却度ＳＣｍを通常暖房運転の場合のまま維持する制御を行うように構成されている。しかし、さらに高温風部屋に能力を集中させるために、制御部４０は高温風の要求が無かった部屋の目標過冷却度を大きくする制御を行うように構成されてもよい。例えば、室内機１１から高温風の要求があり、室内機１２〜１４からは要求が無かった場合には、高温風制御に入る直前で目標過冷却度ＳＣｍが１２度であったものが、高温風制御に入った後は室内機１１の目標過冷却度ＳＣｍＨを５度、室内機１２〜１４の目標過冷却度ＳＣｍＨを１３度にするなどである。
【００７６】
（４−３−１−３）停止部屋の室内機の制御
停止部屋の室内機に対して、制御部４０は、サブクール制御を行わずに目標吐出管温度制御を行う。この目標吐出管温度制御によって、停止部屋に対応する膨張弁の弁開度が小さくなる方向に変化する。このとき、停止部屋の室内ファンが停止しているが、膨張弁の弁開度が小さくなることによって、停止部屋の室内熱交換器には、高温風の要求があった高温風部屋の第１利用側熱交換器１２１（図３Ｂ参照）で減少した分の液冷媒が溜まることになる。その結果、空気調和装置１の全体としての冷媒の分配が適正化され、効率の良い暖房運転を続けることができる。例えば、第１利用側熱交換器１２１から追い出された冷媒を溜めるリザーバを冷媒回路２に設けてもよいが、上述のように停止部屋の室内熱交換器に余剰冷媒を溜めることでリザーバなどの機器の追加を省くことができる。
【００７７】
室内熱交換器２１〜２４に取り付けられている室内熱交温度センサ９１〜９４は、室内熱交換器２１〜２４の冷媒出口と冷媒入口の間に配置された中間温度センサとして機能する。例えば室内熱交換器２１が高温風要求の無かった第２冷媒経路である冷媒経路ｒ１を用いた暖房運転である場合、制御部４０は、室内機１１がサーモオンしているときには室内熱交温度センサ９１により冷媒が過冷却状態になったことが検知されると保護制御に移行するが、サーモオフしている場合には保護制御に移行しないように構成されている。この場合に室内機１１が設置されている部屋が停止部屋になると、既に説明したように、室内熱交換器２１に液冷媒が溜まり易くなっているので、室内熱交温度センサ９１が液冷媒の温度を検知してしまう可能性が高くなる。このように、室内熱交温度センサ９１が過冷却を検知しても保護制御を行わない構成とすることで、高温風の要求が無く且つサーモオフしている室内機１１に多くの冷媒を溜めることができる。
【００７８】
（４−３−２）高温風の要求のあった室内機のサーモオフの抑制
高温風の要求のあった室内機が設置されている高温風部屋の室内空気には、多くの熱量が供給される。そのため、ユーザが設定されている設定温度を超える場合が頻出する。従って、ユーザが設定した設定温度を目標に暖房運転を管理したのでは、室内機がサーモオンとサーモオフを頻繁に繰り返してしまってユーザの快適性を損ねることになる。このようにサーモオンとサーモオフを繰り返さないように、高温風の吹き出される室内機の設定温度を制御部４０が自動的に最大値に変更する。この変更された設定温度は、高温風制御の終了とともに制御部４０によりユーザの設定に戻される。
【００７９】
（４−３−３）高温風の要求の無かった室内機のサーモオフの促進
ここでは、室内機１３が高温風の要求のあった第１利用側ユニットであり、他の室内機１１，１２，１４は高温風の要求が無かった第２利用側ユニットであると仮定すると、第２冷媒経路である冷媒経路ｒ１，ｒ２、ｒ４を用いた暖房運転がサーモオフし易くなるように、制御部４０は、室内機１１，１２，１４のサーモオフ条件を変更する。例えば、高温風制御に入るまでは、他室の室内機１１，１２，１４が設定温度Ｔｓ１，Ｔｓ２，Ｔｓ４と室内温度Ｔｒ１，Ｔｒ２，Ｔｒ４との差ΔＴｄ１（＝Ｔｒ１−Ｔｓ１），ΔＴｄ２（＝Ｔｒ２−Ｔｓ２），ΔＴｄ４（＝Ｔｒ４−Ｔｓ４）が３度でサーモオフしていたものを、０度つまり設定温度Ｔｓ１，Ｔｓ２，Ｔｓ４と室内温度Ｔｒ１，Ｔｒ２，Ｔｒ４が等しい場合にサーモオフするように、制御部４０がサーモオフ条件を緩める変更を行う。なお、サーモオフ条件の変更は、必ずしも同じである必要はなく、室内機１１は差ΔＴｄ１が０度、室内機１２は差ΔＴｄ２が１度のように異なるものとしてもよい。
【００８０】
（４−３−４）高温風の要求の無かった室内機の風量制御
高温風の要求のあった高温風部屋に設置されている室内機（第１利用側ユニット）の温風の温度が、高温風の要求の無かった他室の室内機（第２利用側ユニット）の風量に影響を受ける。また、高温風制御中に、第２利用側ユニットがサーモオンとサーモオフを繰り返すと、冷凍サイクルの高圧側の冷媒圧力が安定せず、第１利用側ユニットから吹き出される温風の温度がハンチングを起こす。
【００８１】
ここでは、室内機１３が高温風の要求のあった第１利用側ユニットであり、他の室内機１１，１２，１４は他室の第２利用側ユニットであると仮定すると、第２利用側ファンである室内ファン５１，５２，５４の風量が減るまたは無くなるように制御を行う高温風モードに移行する。
【００８２】
具体的には、制御部４０は、高圧飽和温度（室内熱交温度センサ９１〜９４の検出温度）が一定温度（Ｔｐ１℃）以上になっていなければ、室内ファン５１，５２，５４の風量を段階的に低下させる。室内熱交温度センサ９１〜９４として、圧力センサを用い、圧力センサで検出される高圧冷媒圧力を圧力相当飽和温度に換算してもよい。室内熱交温度センサ９１〜９４がサーミスタのような温度センサであると、過冷却度を正しく検出できない場合が発生する可能性がある。このように、高圧冷媒の圧力値を高圧飽和温度に読み替えることで制御の精度の向上が図れる。
【００８３】
他室の室内機１１，１２，１４の制御について、図４のフローチャートに沿って説明する。まず、リモートコントローラ１１３の高温風操作ボタンが操作されて室内機１３から高温風の要求が制御部４０に送信されると、高温風制御が開始される（ステップＳ１）。高温風制御の開始により、制御部４０は、タイマ４５ｃによってカウントを開始する（ステップＳ２）。次に、上述の（４−２）で説明したように、制御部４０は、高温風部屋の室内機１３の室内ファン５３の回転数を徐々に下げる（ステップＳ３）。制御部４０は、例えば、室内ファン５３の回転数を１分間に１００〜２００ｒｐｍの割合で減少させる。
【００８４】
次に。上述の（４−３−３）で説明したように、サーモオフ条件が変更されており、変更前は、設定温度Ｔｓ１，Ｔｓ２，Ｔｓ４よりも３度以上室内温度Ｔｒ１，Ｔｒ２，Ｔｒ４が高くないとサーモオフしないが、サーモオフ条件変更後の設定温度Ｔｓ１，Ｔｓ２，Ｔｓ４と同じか否かでサーモオフするか否かを判断する（ステップＳ４）。例えば、室内温度Ｔｒ４が設定温度Ｔｓ４に達していれば、その室内機１４をサーモオフする（ステップＳ５）。なお、ステップＳ３とステップＳ４，Ｓ５とは並列で行われてもよく、また先にステップＳ４，Ｓ５が行われた後にステップＳ３が行われてもよい。
【００８５】
この時点では、室内機１４がサーモオフしているが、室内機１１，１２がサーモオンしていて室内ファン５１，５２が駆動されている。制御部４０は、高圧相当飽和温度（凝縮温度Ｔｃ（例えば凝縮温度Ｔｃ１））が一定温度Ｔｐ１以上になっているか否かを判断する（ステップＳ５）。高圧相当飽和温度が一定温度Ｔｐ１未満であれば、制御部４０は、室内ファン５１，５４の回転数を４０ｒｐｍ下げる（ステップＳ７）。この場合のＴｐ１は例えば四十数度である。なお、ここでは、ステップＳ７の次にステップＳ８が行われているが、ステップＳ７の次に、再度ステップＳ６の判断が行われるような構成としてもよい。
【００８６】
高圧相当飽和温度がＴｐ１以上になると、高温風制御機能をオフするような要求が来たり（ステップＳ８），タイマ４５ｃがカウントアップしたり（ステップＳ９）、といったことが無ければ、高温風モードを継続するためにステップＳ４に戻って上述の動作を繰り返す。高温風制御機能をオフするような要求が来たり（ステップＳ８），タイマ４５ｃがカウントアップしたり（ステップＳ９）、といった状況が発生した場合には高温風モードを終了する。
【００８７】
（５）変形例
（５−１）変形例Ａ
上記実施形態では、４台の室内機１１〜１４を接続できる液管用およびガス管用の４対の接続ポートが室外機１９に設けられ、室外機１９に２台〜４台の室内機を接続可能な多室型の空気調和装置１に本発明を適用しているが、接続可能な室内機の台数は複数であればよく、最大で５台の室内機を１つの室外機に接続可能な空気調和装置に本発明を適用することもできる。最大で３台の室内機を１つの室外機に接続可能な空気調和装置に対しても、本発明を適用することができる。
【００８８】
また、１つの室外機に対して１つの室内機を接続するペアタイプの空気調和装置に本発明を適用してもよい。
【００８９】
（５−２）変形例Ｂ
上記実施形態では、冷房運転と暖房運転とを切り換えることができる空気調和装置１に本発明を適用しているが、他の冷凍装置、例えば、暖房専用の空気調和装置などに本発明を適用することも可能である。
【００９０】
（５−３）変形例Ｃ
上記実施形態では、図４を用いて説明したように、高温風モードに移行したときには、他室のファン回転数を下げる制御を行ったが、他室の運転部屋のファン風量が減るようにまたは無くなるように制御を行う高温風モードに移行したときに、他室の運転部屋の上限ファンタップを下げるように構成してもよい。実施形態の図４を用いて説明した場合のように、他室の運転部屋に室内機１１，１２が在るとすると、制御部４０は、例えば室内熱交換器２３の高圧相当飽和温度（凝縮温度Ｔｃ（凝縮温度Ｔｃ３））に基づいて室内ファン５１，５２の上限ファンタップを、例えば図５に示されているように変化させる。つまり、ステップＳ６では、高圧相当飽和温度が図５の垂下ゾーンにあるか、無変化ゾーンにあるか、またはアップゾーンにあるかが判断される。垂下ゾーンにある場合には、ステップＳ７において、制御部４０が室内ファン５２，５２の上限ファンタップを１タップだけ垂下させた後にステップＳ８の判断を行う。無変化ゾーンにあるときには、そのままステップＳ８の判断を行う。アップゾーンにあるときは、上限ファンタップを１タップだけ上昇させた後にステップＳ８の判断を行う。
【００９１】
図５に示されている判断の仕方によれば、高圧相当飽和温度が上昇しているときには、高圧相当飽和温度がＴｐ２以上になるまでは垂下ゾーンに在り、Ｔｐ２以上Ｔｐ３未満のときには無変化ゾーンに在り、Ｔｐ３以上のときにはアップゾーンに在ると判断する。高圧相当飽和温度が下降しているときには、高圧相当飽和温度がＴｐ２以下になるまではアップゾーンに在り、Ｔｐ１以下になるまでは無変化ゾーンに在ると判断し、Ｔｐ１以下になると垂下ゾーンにあると判断する。なお、Ｔｐ２は例えばＴｐ１よりも数度大きく、Ｔｐ３は例えばＴｐ２よりも数度大きい。
【００９２】
（５−４）変形例Ｄ
上記実施形態では、（４−３−１−１）で説明したように、サブクール制御において高温風部屋の室内機の目標過冷却度ＳＣｍを変更することにより、第１利用側熱交換器を流れる冷媒の温度が上がるように第１膨張弁の制御を変更したが、高温風部屋の室内機の第１膨張弁の弁開度を補正することによって１利用側熱交換器を流れる冷媒の温度が上がるように構成してもよい。例えば、高温風部屋の室内機の第１膨張弁の弁開度を予め設定されている一定の弁開度に固定するようにしてもよい。このように、第１利用側熱交換器を流れる冷媒の温度が上がるように行われる第１膨張弁の制御は、目標過冷却度ＳＣｍの変更に限られるものではない。
【００９３】
（５−５）変形例Ｅ
上記実施形態では、間接的に圧縮機３６の吸入側の過熱度制御を行う目標吐出管温度制御を行う場合を例に挙げて説明したが、直接吸入側の過熱度制御を行う空気調和装置についても本発明を適用することができる。
【００９４】
（６）特徴
以下の特徴の説明では、説明を分かり易くするために、室内機１１がリモートコントローラ１１１から高温風の要求を受け、室内機１２〜１４が高温風の要求を受けなかった場合を例に挙げる。また、高温風の要求を受けなかった室内機１２〜１４のうち室内機１２がサーモオンし、室内機１３,１４がサーモオフしているものとして以下の特徴の説明をする。
【００９５】
（６−１）
上述のように設定した例の状態に空気調和装置１があると、高温風部屋の室内機１１の室内熱交換器２１が第１利用側熱交換器になり、膨張弁３１が第１膨張弁になる。制御部４０は、高温風制御を行うときには、膨張弁３１の制御を変更して、室内熱交換器２１を流れる冷媒の温度を上げ、例えば図３Ｂに示されているように、過熱領域を広げることで室内熱交換器２１に流れる冷媒の平均温度（室内熱交換器の平均温度）を上げている。その結果、室内熱交換器２１で熱交換されて吹き出される温風に対して、通常の暖房運転よりも多くの熱量を与えることができ、高温風の要求を受けた室内機１１から吹き出される温風の温度を十分に上げることができる。
【００９６】
（６−２）
上述のように設定した例では、高温風の要求を受けて制御部４０が下げた室内機１１の目標過冷却度ＳＣｍＨにより、図３Ｂに示された第１利用側熱交換器１２１のように室内熱交換器２１の過熱領域が増える。室内熱交換器２１において高温のガス冷媒が占める過熱領域を増やすことができ、室内熱交換器２１を通過する空気が受け取る熱量を増やして室内機１１が吹出す温風の温度を十分に上げることができる。
【００９７】
（６−３）
上述のように設定した例では、上述の（４−３−３）で説明したように、制御部４０により、高温風の要求の無かった冷媒経路ｒ２〜ｒ４（高温風の無かった第２冷媒経路の例）に接続された室内機１２〜１４がサーモオフし易くなるように冷媒経路ｒ２〜ｒ４の室内機１２〜１４のサーモオフ条件が変更される。室内機１２がサーモオン状態にあり、室内機１３，１４がサーモオフ状態にあるので、室内機１２のみサーモオフ条件を変更してもよい。しかし、室内機１３，１４が暖房運転されている状態でサーモオフされているのであれば、室内温度Ｔｒ３，Ｔｒ４が下がってくればいずれはサーモオフすることが予想される。そのため、サーモオフ状態にある室内機１３，１４のサーモオフ条件を変更してサーモオフし易くしておけば、後にサーモオンしたときに短期間でサーモオフさせることができることになる。このように、冷媒経路ｒ２〜ｒ４を用いた暖房運転がサーモオフする期間が増えて冷媒経路ｒ２〜ｒ４に冷媒が溜まり易くなると、冷媒経路ｒ１の室内熱交換器２１で過冷却領域が減って過熱領域が増えても空気調和装置１の冷媒を適切に配分でき、空気調和装置１は効率の良い運転状態を維持することができる。
【００９８】
（６−４）
上述のように設定した例では、高温風制御において圧縮機３６の回転数を上げて室内熱交換器２１に流れる冷媒の流量を増やすと、膨張弁３１の制御が変更されて室内熱交換器２１を流れる冷媒の温度が上がることともあいまってより多くの熱量が冷媒から室内熱交換器２１を通過する空気に与えることができるようになる。
【００９９】
（６−５）
上述のように設定した例では、高温風制御において、熱源側ファンである室外ファン３９の回転数を上げると熱源側熱交換器である室外熱交換器３５での熱交換が促進されて蒸発能力が上がり、その結果、室内熱交換器２１での凝縮能力が上がって室内熱交換器２１を通過して吹き出される温風の温度を上げることができる。
【０１００】
（６−６）
上述のように設定した例では、高温風の要求を受けた場合に第１利用側ファンである室内ファン５１の風量を所定値以下にすることで、風量が所定値を超える場合に比べて第１利用側熱交換器である室内熱交換器２１を単位時間当たりに通過する空気の量が減少して単位体積の空気が受け取る熱量が増加する。
【０１０１】
（６−７）
上記実施形態の構成では、リモートコントローラ１１１〜１１４の高温風操作ボタンが操作されるとリモートコントローラ１１１〜１１４が高温風の要求を送信して制御部４０が高温風の要求を受信できるので、リモートコントローラ１１１〜１１４を使ってユーザが必要に応じて高温風制御を行うように指示することができる。
【０１０２】
（６−８）  
上述のように設定した例では、室内熱交換器２１からの温風が吹き出される空調対象室に設置されている室内機１１の設定温度Ｔｓ１が制御部４０により自動的に最大値に変更されることから、高温風の要求を受けて温風の温度を上げたことによって空調対象空間の室内温度Ｔｒ１が上がり易くなっているけれども、設定温度Ｔｓ１を変更しない場合に比べて冷媒経路ｒ１を用いた高温風部屋の室内機１１の暖房運転をサーモオフし難くすることができる。その結果、高温風の要求があったことで室内熱交換器２１からの温風が止まる回数が多くなるのを抑制して快適性を確保することができる。
【０１０３】
（６−９）  
上述のように設定した例では、変形例Ｄで説明したように、高温風の要求を受けた場合に、第１利用側熱交換器である室内熱交換器２１を流れる冷媒の温度が上がるように第１膨張弁である膨張弁３１の弁開度を補正すると、弁開度の補正によって温度が上がった室内熱交換器２１の冷媒から温風に対して多くの熱量を与えることができるようになる。
【０１０４】
（６−１０）       
上述のように設定した例では、制御部４０は、高温風の要求の無かった冷媒経路ｒ３，ｒ４を用いた室内機１３，１４の暖房運転がサーモオフしていることを活用して第２利用側熱交換器である室内熱交換器２３，２４に冷媒を溜めるように第２膨張弁である膨張弁３３，３４を制御する。その結果、室内熱交換器２１を流れる冷媒の温度を上げるために生じた余剰冷媒を適切に分配でき、圧縮機３６に吸入される冷媒の温度が効率の良い温度になるように制御し易くなる。
【０１０５】
（６−１１）       
上述のように設定した例では、制御部４０は、上記の（６−１０）の説明の具体例として、膨張弁３３，３４の制御を目標吐出管制御によって行うことにより、第２冷媒経路である冷媒経路ｒ３，ｒ４を用いた暖房運転がサーモオフしている場合に圧縮機３６に吸入される冷媒の温度または圧縮機３６から吐出される冷媒の温度を目標温度に近づけるように膨張弁３３，３４の弁開度を制御している。そのような制御によって図３Ｄを用いて説明したように、室内熱交換器２３，２４に冷媒を溜めることができる。
【０１０６】
（６−１２）       
上述のように設定した例では、制御部４０は、第２冷媒経路である冷媒経路ｒ３，ｒ４を用いた暖房運転がサーモオフしている場合には中間温度センサである室内熱交温度センサ９３，９４により冷媒が過冷却状態になったことが検知されても保護制御に移行しないように構成した場合、室内熱交温度センサ９３，９４が過冷却状態を検知しても液冷媒を蓄え続けながら暖房運転を続けられるので、暖房運転がサーモオフしている第２利用側熱交換器である室内熱交換器２３，２４に多くの液冷媒を溜めることができて第１利用側熱交換器である室内熱交換器２１のガス冷媒が占める過熱領域を拡大し易くなる。
【符号の説明】
【０１０７】
１    空気調和装置
２    冷媒回路
１１〜１４    室内機
２１〜２４    室内熱交換器
３１〜３４    膨張弁
３５    室外熱交換器（熱源側熱交換器の例）
３６    圧縮機
３９    室外ファン（熱源側ファンの例）
４０    制御部
５１〜５４    室内ファン
９１〜９４    室内熱交温度センサ
１１１〜１１４    リモートコントローラ
１２１    第１利用側熱交換器
１２２    第２利用側熱交換器
１３１    第１膨張弁
１３２    第２膨張弁
１５１    第１利用側ファン
１５２    第２利用側ファン
２０１    第１利用側ユニット
２０２    第２利用側ユニット
【先行技術文献】
【特許文献】
【０１０８】
【特許文献１】実開平４−４６４５号公報